(57)【要約】ロック解除用信号を受信する回数を効率的に減らして、ロック解除処理に伴う電力消費を抑えることができる携帯端末装置を提供する。  読取装置２０に携帯電話１０を近づけていくと、電圧検出回路１１は電圧Ｖｉｎを検出し、制御部１２４に制御信号Ｓ１を出力し、非接触ＩＣ回路１２を待機させる。同時に、制御部１３３に制御信号Ｓ２を出力し、制御部１３３がその制御信号Ｓ２を受信すると、ロック解除装置３０にロック解除コードを要求する。制御部１３３は、取得したロック解除コードを認証し、認証ができた場合、制御信号Ｓ３を電圧検出回路１１に返す。電圧検出回路１１が制御信号Ｓ３を受信すると、非接触ＩＣ回路１２に制御信号Ｓ４を出力し、待機状態を解除させ、携帯電話１０のロックを解除する。
2007004368.tif 000002
【特許請求の範囲】
【請求項１】
ロック解除装置から所定のコードを無線通信により受信する無線部と、
前記無線部により受信した所定のコードに基づいて、当該携帯端末装置が有する各種機能の実行を許可または禁止もしくは制限する機能制限制御部と、
を備える携帯端末装置であって、
当該携帯端末装置の所定の処理を検出する検出部を備え、
前記無線部は、前記検出部により当該携帯端末装置の所定の処理を検出した後、前記ロック解除装置から所定のコードを無線通信により受信する、
携帯端末装置。
【請求項２】
ロック解除装置から所定のコードを無線通信により受信するための受信処理を、周期的に行う無線部と、
前記無線部による受信処理によって受信した所定のコードに基づいて、当該携帯端末装置が有する各種機能の実行を許可または禁止もしくは制限する機能制限制御部と、
を備える携帯端末装置であって、
当該携帯端末装置の所定の処理を検出する検出部を備え、
前記無線部は、前記機能制限制御部が当該携帯端末装置の有する各種機能の実行を禁止もしくは制限した時点からの時間に応じて長くなる周期で受信処理を行い、かつ前記検出部により当該携帯端末装置の所定の処理を検出した時点で前記受信処理の周期を短くする、
携帯端末装置。
【請求項３】
ロック解除装置から所定のコードを無線通信により受信するための受信処理を、周期的に行う無線部と、
前記無線部による受信処理によって受信した所定のコードに基づいて、当該携帯端末装置が有する各種機能の実行を許可または禁止もしくは制限する機能制限制御部と、
を備える携帯端末装置であって、
当該携帯端末装置の所定の処理を検出する検出部を備え、
前記無線部は、前記機能制限制御部が当該携帯端末装置の有する各種機能の実行を禁止もしくは制限した時点でその時点以後の受信処理を中断し、前記検出部により当該携帯端末装置の所定の処理を検出した時点で前記受信処理を再開する、
携帯端末装置。
【請求項４】
請求項１から３のいずれか１項に記載の携帯端末装置であって、
前記検出部は、当該携帯端末装置への入力操作または開閉操作を検出する携帯端末装置。
【請求項５】
請求項１から３のいずれか１項に記載の携帯端末装置であって、
ＲＦＩＤリーダと無線通信を行う非接触ＩＣ回路を備え、
前記検出部は、前記ＲＦＩＤリーダとの無線通信により、前記非接触ＩＣ回路に発生する電圧を検出し、
前記機能制限制御部は、前記非接触ＩＣ回路による処理の実行を許可あるいは禁止する携帯端末装置。
【請求項６】
請求項５記載の携帯端末装置であって、
前記非接触ＩＣ回路は、前記機能制限制御部が許可した後、前記ＲＦＩＤリーダとの無線通信を再開する携帯端末装置。
【請求項７】
請求項６記載の携帯端末装置であって、
前記検出部は、前記非接触ＩＣ回路に駆動用電力を供給するための無線電波を受信した、前記非接触ＩＣ回路に発生する電圧を検出し、
前記機能制限制御部は、前記非接触ＩＣ回路による、前記ＲＦＩＤリーダに応答するための無線電波の送信処理の実行を、許可あるいは禁止し、
前記非接触ＩＣ回路は、前記機能制限制御部が許可した後、前記ＲＦＩＤリーダに応答するための無線電波を前記ＲＦＩＤリーダに送信する、
携帯端末装置。
【請求項８】
請求項１から３のいずれか１項に記載の携帯端末装置であって、
少なくとも、通話部および電子メール送受信部のいずれか一方、または両方を備え、
前記検出部は、少なくとも前記通話部による電話の着信処理または前記電子メール送受信部による電子メールの受信処理を検出する携帯端末装置。
【請求項９】
請求項８記載の携帯端末装置であって、
前記無線部は、前記検出部により少なくとも前記通話部による電話の着信処理または前記電子メール送受信部による電子メールの受信処理の一方を検出した後、前記ロック解除装置から所定のコードを無線通信により受信する、
携帯端末装置。
【請求項１０】
請求項９記載の携帯端末装置であって、
各種情報を表示する表示部を備え、
前記表示部は、前記機能制限制御部が当該携帯端末装置の有する各種機能の実行を許可した場合、電話の着信があったことまたは電子メールを受信したことを表す情報を表示する、
携帯端末装置。
【請求項１１】
請求項１から１０のいずれか１項に記載の携帯端末装置であって、
前記無線部に駆動用電力を供給する電源回路を備え、
前記電源回路は、前記検出部により当該携帯端末装置の処理を検出した後、前記無線部に駆動用電力を供給し、
前記無線部は、前記電源回路からの駆動用電力の供給を受けて、前記ロック解除装置から所定のコードを無線通信により受信する、
携帯端末装置。
【請求項１２】
請求項１から３のいずれか１項に記載の携帯端末装置であって、
前記機能制限制御部は、当該携帯端末装置が有する各種機能の実行を禁止もしくは制限された状態で、前記検出部により所定の処理を検出し、前記ロック解除装置から所定のコードを無線通信により受信したときに、各種機能の実行を許可する携帯端末装置。
【請求項１３】
請求項１から３のいずれか１項に記載の携帯端末装置であって、
前記機能制限制御部は、当該携帯端末装置が有する各種機能の実行を許可された状態で、前記検出部により所定の処理を検出し、前記ロック解除装置から所定のコードを無線通信により受信しないときに、各種機能の実行を禁止もしくは制限する携帯端末装置。
【請求項１４】
所定のコードを無線通信により受信するための受信処理を周期的に行い、受信した所定のコードに基づいて、携帯端末装置の各種機能の実行を許可または禁止もしくは制限する方法であって、
当該携帯端末装置の所定の処理を検出するステップと、
当該携帯端末装置の有する各種機能の実行を禁止もしくは制限した時点からの時間に応じて受信処理の周期を長くし、かつ、前記検出部により当該携帯端末装置の所定の処理を検出した時点で前記受信処理の周期を短くするステップと、
を備える携帯端末装置の各種機能の実行を許可または禁止もしくは制限する制御方法。
【請求項１５】
所定のコードを無線通信により受信するための受信処理を周期的に行い、受信した所定のコードに基づいて、携帯端末装置の各種機能の実行を許可または禁止もしくは制限する方法であって、
当該携帯端末装置の所定の処理を検出するステップと、
当該携帯端末装置の有する各種機能の実行を禁止もしくは制限した時点でその時点以後の受信処理を中断し、かつ、前記検出部により当該携帯端末装置の所定の処理を検出した時点で前記受信処理を再開するステップと、
を備える携帯端末装置の各種機能の実行を許可または禁止もしくは制限する制御方法。
【発明の詳細な説明】
【技術分野】
【０００１】  本発明は、盗難や置忘れ時に、操作を制限するための使用制限機能を有する携帯端末装置、および携帯端末装置の制御方法に関するものである。
【背景技術】
【０００２】  近年、電気通信技術の進歩に伴い、携帯電話などの携帯端末装置の利用が広く普及しつつある。しかし、携帯端末装置は、回線等の物理的な接続がなく可搬性を有するため、携帯可能であるという利点があるが、紛失したり或いは盗難されたりしやすいという欠点もある。携帯端末装置が紛失したり或いは盗難されたりした場合、第三者に携帯端末装置内の個人情報を見られてしまったり、電子マネーを使用されてしまうという可能性があった。【０００３】  この課題を解決するため、従来紛失や盗難により手元を離れた携帯端末装置の一部（あるいは全て）の機能使用をできないようにする機能（以後、ダイヤルロック機能と称する）を備えたものがある。この種の機能を有する携帯端末装置として、例えば、特開平９−６４９６７号公報（特許文献１）に開示された携帯電話のダイヤルロックシステムがある。従来の携帯電話のダイヤルロック機能を備えたシステムの構成例を図６に示す。このダイヤルロックシステムでは、ロック解除装置２００に内蔵されたロック解除コード送信部２２０よりロック解除コードをのせた電波を送信し、これを携帯電話１００のロック解除コード受信部１２０で受け、あらかじめ制御部１１０に記憶させてあるコードと照合する。携帯電話１００は、照合した結果、一致した場合はダイヤルロックを一定時間解除し、一方、一致するロック解除コードを一定時間受信しない場合（ロック解除装置が離れた場合）は再度ダイヤルロックをかけるものである。
【特許文献１】特開平９−６４９６７号公報
【発明の開示】
【発明が解決しようとする課題】
【０００４】  しかしながら、上述のダイヤルロックシステムにおいては、ロック解除装置２００のロック解除コード送信部２２０が携帯電話１００に対して周期的にロック解除用信号を電波送信している。このため、携帯電話１００は、その電波信号を受信する度にロック解除コードの検出、照合を行っているため、消費電力が増大してしまう。【０００５】  本発明は、上記事情に鑑みてなされたものであって、ロック解除用信号を受信する回数を効率的に減らして、ロック解除処理に伴う電力消費を抑えることができる携帯端末装置、および携帯端末装置の制御方法を提供することを目的とする。
【課題を解決するための手段】
【０００６】  本発明の携帯端末装置は、ロック解除装置から所定のコードを無線通信により受信する無線部と、前記無線部により受信した所定のコードに基づいて、当該携帯端末装置が有する各種機能の実行を許可または禁止もしくは制限する機能制限制御部と、を備える携帯端末装置であって、当該携帯端末装置の所定の処理を検出する検出部を備え、前記無線部が、前記検出部により当該携帯端末装置の所定の処理を検出した後、前記ロック解除装置から所定のコードを無線通信により受信する、ものである。【０００７】  この構成により、使用者が携帯端末装置を使用しようとして、携帯端末装置に所定の処理を実行させたときに認証を行い、認証ができたときのみ、携帯端末装置のロックが解除される。これにより、一定時間ごとに認証を行う必要がないので、ロック解除用信号を受信する回数を効率的に減らして、ロック解除処理に伴う電力消費を抑えることができる。【０００８】  また、本発明の携帯端末装置は、ロック解除装置から所定のコードを無線通信により受信するための受信処理を、周期的に行う無線部と、前記無線部による受信処理によって受信した所定のコードに基づいて、当該携帯端末装置が有する各種機能の実行を許可または禁止もしくは制限する機能制限制御部と、を備える携帯端末装置であって、当該携帯端末装置の所定の処理を検出する検出部を備え、前記無線部が、前記機能制限制御部が当該携帯端末装置の有する各種機能の実行を禁止もしくは制限した時点からの時間に応じて長くなる周期で受信処理を行い、かつ前記検出部により当該携帯端末装置の所定の処理を検出した時点で前記受信処理の周期を短くする、ものを含む。【０００９】  本発明の携帯端末装置の制御方法は、所定のコードを無線通信により受信するための受信処理を周期的に行い、受信した所定のコードに基づいて、携帯端末装置の各種機能の実行を許可または禁止もしくは制限する方法であって、当該携帯端末装置の所定の処理を検出するステップと、当該携帯端末装置の有する各種機能の実行を禁止もしくは制限した時点からの時間に応じて受信処理の周期を長くし、かつ、前記検出部により当該携帯端末装置の所定の処理を検出した時点で前記受信処理の周期を短くするステップと、を備える携帯端末装置の各種機能の実行を許可または禁止もしくは制限する方法である。【００１０】  この構成によれば、携帯端末装置の機能の実行が禁止または制限される期間が続き今後もその期間が続く可能性が高いと推定されるときに、ロック解除装置からの信号を受信する受信処理を減らすことにより、その受信処理によって消費される電力を軽減することができる。【００１１】  また、本発明の携帯端末装置は、ロック解除装置から所定のコードを無線通信により受信するための受信処理を、周期的に行う無線部と、前記無線部による受信処理によって受信した所定のコードに基づいて、当該携帯端末装置が有する各種機能の実行を許可または禁止もしくは制限する機能制限制御部と、を備える携帯端末装置であって、当該携帯端末装置の所定の処理を検出する検出部を備え、前記無線部が、前記機能制限制御部が当該携帯端末装置の有する各種機能の実行を禁止もしくは制限した時点でその時点以後の受信処理を中断し、前記検出部により当該携帯端末装置の所定の処理を検出した時点で前記受信処理を再開する、ものを含む。【００１２】  本発明の携帯端末装置の制御方法は、所定のコードを無線通信により受信するための受信処理を周期的に行い、受信した所定のコードに基づいて、携帯端末装置の各種機能の実行を許可または禁止もしくは制限する方法であって、当該携帯端末装置の所定の処理を検出するステップと、当該携帯端末装置の有する各種機能の実行を禁止もしくは制限した時点でその時点以後の受信処理を中断し、かつ、前記検出部により当該携帯端末装置の所定の処理を検出した時点で前記受信処理を再開するステップと、を備える携帯端末装置の各種機能の実行を許可または禁止もしくは制限する方法である。【００１３】  この構成によれば、携帯端末装置の機能の実行が禁止または制限される期間が続き今後もその期間が続く可能性が高いと推定されるときに、ロック解除装置からの信号を受信する受信処理を全く行わないため、その受信処理によって消費される電力を低減するという効果が顕著になる。【００１４】  また、本発明の携帯端末装置は、前記検出部が、当該携帯端末装置への入力操作または開閉操作を検出するものを含む。【００１５】  この構成により、携帯端末装置への入力操作または開閉操作を行ったとき、自動的に認証を行い、認証ができたときのみ、ロックが解除される。ロック解除用信号を受信する回数を効率的に減らして、ロック解除処理に伴う電力消費を抑えることができる。【００１６】  また、本発明の携帯端末装置は、ＲＦＩＤリーダと無線通信を行う非接触ＩＣ回路を備え、前記検出部が、前記ＲＦＩＤリーダとの無線通信により、前記非接触ＩＣ回路に発生する電圧を検出し、前記機能制限制御部が、前記非接触ＩＣ回路による処理の実行を許可あるいは禁止もしくは制限するものを含む。【００１７】  また、本発明の携帯端末装置は、前記非接触ＩＣ回路が、前記機能制限制御部が許可した後、前記ＲＦＩＤリーダとの無線通信を再開するものを含む。【００１８】  この構成により、非接触ＩＣ回路を内蔵する携帯端末の非接触ＩＣ回路に対してリード／ライト操作を行おうとしたとき、自動的に認証を行い、認証ができたときのみ、ロックが解除される。これによって、ユーザの手を煩わせることなく、ロック解除動作が完了するので、安全にＩＣ回路を利用することができ、ロック解除用信号を受信する回数を効率的に減らして、ロック解除処理に伴う電力消費を抑えることができる。【００１９】  また、本発明の携帯端末装置は、前記検出部が、前記非接触ＩＣ回路に駆動用電力を供給するための無線電波を受信した、前記非接触ＩＣ回路に発生する電圧を検出し、前記機能制限制御部が、前記非接触ＩＣ回路による、前記ＲＦＩＤリーダに応答するための無線電波の送信処理の実行を、許可あるいは禁止もしくは制限し、前記非接触ＩＣ回路が、前記機能制限制御部が許可した後、前記ＲＦＩＤリーダに応答するための無線電波を前記ＲＦＩＤリーダに送信する、ものを含む。【００２０】  この構成により、非接触ＩＣ回路の応答がより速くなり、ユーザの利便性を高めることができる。【００２１】  また、本発明の携帯端末装置は、少なくとも、���話部および電子メール送受信部のいずれか一方、または両方を備え、前記検出部が、少なくとも前記通話部による電話の着信処理または前記電子メール送受信部による電子メールの受信処理を検出する、ものを含む。【００２２】  また、本発明の携帯端末装置は、前記無線部が、前記検出部により少なくとも前記通話部による電話の着信処理または前記電子メール送受信部による電子メールの受信処理の一方を検出した後、前記ロック解除装置から所定のコードを無線通信により受信する、ものを含む。【００２３】  この構成により、携帯端末装置が電話着信処理あるいは電子メール着信処理を行ったとき、自動的に認証を行い、認証ができたときのみ、ロックが解除される。このため、ロック解除用信号を受信する回数を効率的に減らして、ロック解除処理に伴う電力消費を抑えることができる。【００２４】  また、本発明の携帯端末装置は、各種情報を表示する表示部を備え、前記表示部が、前記機能制限制御部が当該携帯端末装置の有する各種機能の実行を許可した場合、電話の着信があったことまたは電子メールを受信したことを表す情報を表示する、ものを含む。【００２５】  この構成により、電話着信に携帯端末装置利用者が応答できなかったときの着信の有無や、未読の電子メールの有無を、ロック解除装置との認証に成功したときのみ表示部に表示させる構成であるため、ロック解除装置を保持する携帯端末装置利用者は携帯端末装置に近づけばすぐにこれらの情報を確認することができ、一方、ロック解除装置を保持していない他者はこれらの情報を確認することができないため、携帯端末装置利用者による携帯端末装置の使い勝手の向上と、プライバシー保護や個人情報の漏洩の防止と、を同時に果たすことができる。【００２６】  また、本発明の携帯端末装置は、前記無線部に駆動用電力を供給する電源回路を備え、前記電源回路が、前記検出部により検出した後、前記無線部に駆動用電力を供給し、前記無線部が、前記電源回路からの駆動用電力の供給を受けて、前記ロック解除装置から所定のコードを無線通信により受信する、ものを含む。【００２７】  この構成により、ロック解除処理に伴う電力消費をさらに抑えることができる。【００２８】  また、本発明の携帯端末装置は、当該携帯端末装置が有する各種機能の実行を禁止もしくは制限された状態で、前記検出部により所定の処理を検出し、前記ロック解除装置から所定のコードを無線通信により受信したときに、各種機能の実行を許可する、ものを含む。【００２９】  この構成により、使用者が携帯端末装置を使用しようとしたときには、ロック解除用信号を受信し、認証ができればロック解除処理が行われるので、使用者に不都合を感じさせずにロック解除処理に伴う電力消費を抑えることができる。【００３０】  また、本発明の携帯端末装置は、当該携帯端末装置が有する各種機能の実行を許可された状態で、前記検出部により所定の処理を検出し、前記ロック解除装置から所定のコードを無線通信により受信しないときに、各種機能の実行を禁止もしくは制限する、ものを含む。【００３１】  この構成により、電力消費を抑えつつも、必要なときには確実に携帯電話をロックすることができる。
【発明の効果】
【００３２】  本発明の携帯端末装置、および携帯端末装置の制御方法によれば、使用者が携帯端末装置を使用しようとしたときには、ロック解除用信号を受信し、認証ができればロック解除処理が行われるので、使用者に不都合を感じさせずに、それ以外のときにはロック解除用信号を受信する回数を効率的に減らして、ロック解除処理に伴う電力消費を抑えることができる。
【図面の簡単な説明】
【００３３】
【図１】本発明の第１の実施形態にかかる携帯電話の構成を示すブロック図
【図２】本発明の第１の実施形態にかかる携帯電話の動作を説明するためのフローチャート図
【図３】各電圧を示す電圧波形図
【図４】本発明の第２の実施形態にかかる携帯電話の構成を示すブロック図
【図５】本発明の第２の実施形態にかかる携帯電話の動作を説明するためのフローチャート図
【図６】従来の携帯電話の構成を示すブロック図
【図７】携帯電話と無線通信ユニットとの位置関係と、その位置関係毎の携帯電話と無線通信ユニットとの間における認証処理の概念図。図７（ａ）は携帯電話と無線通信ユニットとの位置関係、図７（ｂ）は無線通信ユニットが携帯電話の非認証エリアから認証エリアへ推移するときの認証処理の概念図、図７（ｃ）は無線通信ユニットが携帯電話の認証エリアにあるときの認証処理の概念図
【図８】待ち受けモード−認証モード間での移行処理を表すフローチャート
【図９】本発明の第３の実施形態にかかる携帯電話の構成を示すブロック図
【図１０】本発明の第３の実施形態の携帯電話による、次の受信状態までの周期を延長する際の概念図
【図１１】本発明の第３の実施形態の携帯電話における待ち受けモードから認証モードへ移行する際の概念図。図１１（ａ）は、携帯電話が無線認証ユニットから信号を受信したときに待ち受けモードから認証モードへ移行する場合の概念図、図１１（ｂ）には、携帯電話が携帯電話への操作を検出したときに待ち受けモードから認証モードへ移行する場合の概念図
【図１２】本発明の第３の実施形態の携帯電話が携帯電話への操作を検出したときに待ち受けモードから認証モードへ移行する場合の概念図。図１２（ａ）は、携帯電話への操作後の受信状態が通常よりも長い場合の概念図、図１２（ｂ）は、携帯電話への操作後にサーチ信号を受信できなかった場合の概念図、図１２（ｃ）は、携帯電話の
【図１３】本発明の第３の実施形態にかかる携帯電話のフローチャート
【図１４】本発明の第４の実施形態にかかる携帯電話の構成を示すブロック図
【図１５】本発明の第４の実施形態の携帯電話が電話着信を検出したときに待ち受けモードから認証モードへ移行する場合の概念図
【図１６】本発明の第４の実施形態の携帯電話における電話着信時のフローチャート
【図１７】本発明の第４の実施形態の携帯電話における電話着信後のフローチャート
【符号の説明】
【００３４】  １０、４０  携帯電話
１１  電圧検出回路
１２  非接触ＩＣ回路
１３  無線認証回路
１４  制御回路
１４１  携帯操作検出部
１４２  認証状態検出部
１４３  タイマー
１４４  タイマー値比較部
１４５  機能制御部
１４６  電話着信・メール受信検出部
１５  操作部
１５１  開閉ボタン
１５２  キー操作部
１６  タイマ設定用メモリ
１７  電源回路
１８  携帯無線部
１９  入出力部
１９１  スピーカ
１９２  マイク
１９３  表示部
２０  読取装置
３０  ロック解除装置
４１  電源回路
１２１、１３１  ＲＦ部
１２２  整流部
１２３、１３２  メモリ
１２４、１３３  制御部
１３４  表示部
【発明を実施するための最良の形態】
【００３５】  以下、本発明の実施形態の携帯端末装置について、図面を用いて説明する。
（第１の実施形態）
本実施形態には、携帯端末装置の例として携帯電話を用い、その携帯電話利用者が携帯電話に内蔵された非接触ＩＣ回路にデータの読み取り処理を行わせるときの例について説明する。【００３６】  図１は、本発明の第１の実施形態にかかる携帯電話の構成を示すブロック図である。
図１において、読取装置（ＲＦＩＤリーダ）２０は携帯電話１０に内蔵された非接触ＩＣ回路１２と無線で通信し、非接触ＩＣ回路１２のメモリ１２３に対してデータの読み出し、書き込み処理を実施する。ロック解除装置３０は、携帯電話１０の所有者が常に身につけているもので、あらかじめ指定されたロック解除コードをのせたものである。ロック解除装置３０の１例として、パッシブタグまたはセミパッシブタグなどのロック解除コードを内部に持つタグ型のキーがある。【００３７】  携帯電話１０は、電圧検出回路１１と、非接触ＩＣ回路１２と、無線認証回路１３と、制御回路１４とを有する構成である。【００３８】  非接触ＩＣ回路１２は、ＲＦ部１２１と、整流部１２２と、メモリ１２３と、制御部１２４とを有し、電子マネーなどの情報をやり取りする。【００３９】  ＲＦ部１２１は、アンテナを介して、ＲＦＩＤ（Ｒａｄｉｏ  Ｆｒｅｑｕｅｎｃｙ  Ｉｄｅｎｔｉｆｉｃａｔｉｏｎ：無線周波数識別）で使用される短距離通信用の電波を用いて、読取装置２０と無線通信を行う。読取装置２０との無線通信はＲＦＩＤに限定するものではなく、他の短距離通信（例えばＵＷＢ（Ｕｌｔｒａ  Ｗｉｄｅ  Ｂａｎｄ：超広帯域無線やＢｌｕｅｔｏｏｔｈ）であってもよい。【００４０】  整流部１２２は、読取装置２０に携帯電話１０が近づくことにより携帯電話１０内部のＲＦ部１２１に入力される電波を直流電圧に変換し、この直流電圧を非接触ＩＣ回路１２の駆動に用いる。【００４１】  メモリ１２３は、非接触ＩＣ回路１２と読取装置２０との間で送受信されるデータを記憶する。なお、メモリ１２３は、携帯電話１０にロックがかかっていないとき、読取装置２０によるデータの読み出し要求、書き込み要求処理に応答することができる。【００４２】  制御部１２４は、読取装置２０との無線通信のための非接触ＩＣ回路１２の動作を制御する。制御部１２４は、具体的には、ＲＦ部１２１により受信した、読取装置２０からのデータ読み出し要求に応じて、メモリ１２３から該当データを抽出し、その抽出したデータをＲＦ部１２１に読取装置２０に送信するよう制御する。また、制御部１２４は、電圧検出回路１１から待機状態にする指示を受けると、読取装置２０からの充電用電波（非接触ＩＣ回路に駆動用電力を供給するための無線電波）の受信およびコマンド通知用電波（読取装置２０からのデータ読み出し要求を非接触ＩＣ回路に送信するための無線電波）の受信は行うが、非接触ＩＣ回路１２によるコマンドに対する応答（コマンドに応じてメモリ１２３から抽出したデータを読取装置２０に無線送信する処理）は行わない状態（待機状態）にし、電圧検出回路１１から待機状態を解除する指示を受けると非接触ＩＣ回路１２の待機状態を解除するよう制御する。【００４３】  電圧検出回路１１は、読取装置２０に非接触ＩＣ回路１２を近づけていくことにより整流部１２２に発生する電圧を検出する。電圧検出回路１１は、その検出した電圧がある閾値を超えると、非接触ＩＣ回路１２および無線認証回路１３へ制御信号Ｓ１とＳ２を出力する。ここで制御信号Ｓ１は、非接触ＩＣ回路１２を待機状態にするための制御信号であり、制御信号Ｓ２は、ロック解除装置３０とロック解��のための無線通信を無線認証回路１３に行わせるための制御信号である。その後、電圧検出回路１１は、無線認証回路１３から携帯電話のロックが解除されたことを通知する制御信号Ｓ３を受信すると、非接触ＩＣ回路１２の待機状態を解除するためのロック解除信号Ｓ４を非接触ＩＣ回路１２に出力する。【００４４】  制御信号Ｓ１、Ｓ４により、非接触ＩＣ回路１２を待機状態と待機状態が解除された状態とに切り替える理由を説明する。ダイヤルロック機能を実行する際、携帯電話の中には各部への電力供給を停止することにより、携帯電話の各種機能を利用できなくするものがある。しかし、非接触ＩＣ回路１２は、携帯電話が備える電源回路からの供給を受けること無く、自回路のＲＦ部１２１および整流部１２２により電力を発生させることができるため、電力供給を停止することにより携帯電話の各種機能を利用できなくするダイヤルロック機能では、非接触ＩＣ回路の処理を制限することができない。このため、電圧検出回路１１は、制御信号Ｓ１、Ｓ４により、非接触ＩＣ回路１２を待機状態、待機状態を解除した状態に切り替える必要がある。【００４５】  無線認証回路１３は、ＲＦ部１３１と、メモリ１３２と、制御部１３３と、表示部１３４とを有し、ロック解除装置３０との無線通信により、ロック解除コードを取得し、取得したロック解除コードを認証する。【００４６】  ＲＦ部１３１は、制御部１３３からの解除コード要求コマンド信号を無線で送信できるように変換してアンテナに出力し、アンテナより受信した無線信号を変換してロック解除コードを取得し、制御部１３３に出力する。【００４７】  メモリ１３２は、携帯電話１０の特定の使用者であるかを認証するためのあらかじめ指定したロック解除コードを記憶する。【００４８】  制御部１３３は、電圧検出回路１１からの制御信号Ｓ２を受けると、ロック解除コードを要求するために解除コード要求コマンドをロック解除装置３０へ送信する。制御部１３３は、ロック解除装置３０からロック解除コードを取得すると、メモリ１３２からあらかじめ指定したロック解除コードを取得し、ロック解除装置３０からのロック解除コードと比較することにより認証を行う。その後、制御信号Ｓ３を用いて認証結果を電圧検出回路１１へ通知するとともに表示部１３４に認証結果を表示させる。【００４９】  ここで、無線認証回路１３とロック解除装置３０の認証方法について説明する。図７に、携帯電話と無線通信ユニットとの位置関係と、その位置関係毎の携帯電話と無線通信ユニットとの間における認証処理の概念図と、を示す。なお、図７では、ロック解除装置３０のことを携帯電話１０と無線通信を行う無線通信ユニットとして一般化して称している。図７（ａ）は携帯電話と無線通信ユニットとの位置関係を、図７（ｂ）は無線通信ユニットが携帯電話の非認証エリアから認証エリアへ推移するときの認証処理の概念図を、図７（ｃ）は無線通信ユニットが携帯電話の認証エリアにあるときの認証処理の概念図を、それぞれ示す。【００５０】  図７（ａ）では、携帯電話１０が無線通信ユニット３０と無線通信可能な範囲を認証エリア（円で囲まれた領域）と称し、逆に無線通信ユニット３０と無線通信ができない（十分な信号強度で電波が到達しない）範囲を非認証エリア（円の外側の領域）と称している。携帯電話１０は、無線通信ユニット３０が非認証エリアに存在するときには無線通信ユニット３０と無線通信を行うことができないため、ロック解除コードを無線通信ユニット３０から取得することができず、したがって、携帯電話１０が備える非接触ＩＣ機能などの各種機能の利用を禁止もしくは制限する状態になる（以下、携帯電話における待ち受けモードと称する場合がある）。一方、携帯電話１０は、無線通信ユニット３０が認証エリアに存在するときには無線通信ユニット３と無線通信を行って認証を行い、認証に成功すれば携帯電話１０が備える非接触ＩＣ機能などの各種機能の利用を許可する状態になり（以下、携帯電話における認証モードと称する場合がある）、認証に失敗すれば携帯電話１０が備える非接触ＩＣ機能などの各種機能の利用を禁止もしくは制限する状態になる（待ち受けモード）。図８に、待ち受けモード−認証モード間での移行処理を表すフローチャートを示す。図８に示すように、携帯電話１０は、認証に成功すれば（ステップＳ８０２、Ｙｅｓ）携帯電話１０が備える非接触ＩＣ機能などの各種機能の利用を許可する認証モードになり（ステップＳ８０３）、認証に失敗すれば（ステップＳ８０２、Ｎｏ）携帯電話１０が備える非接触ＩＣ機能などの各種機能の利用を禁止もしくは制限する待ち受けモードになる。以下、図７（ｂ）、図７（ｃ）を参照して、携帯電話１０−無線通信ユニット３０間で送受されるデータについて詳細に説明する。【００５１】  無線通信ユニット３０は、予め携帯電話１０との間でお互いの固有の識別情報（以下、識別ＩＤと称する）を関連付けるためのペアリングを行っており、自身の識別ＩＤを含むサーチ信号を一定の周期で送信している。一方携帯電話１０は、一定の周期で一定の期間、無線通信ユニット３０から送信されてくる識別ＩＤを受信すべく待ち受けている（図７（ｂ）の受信状態に該当）。無線通信ユニット３０が携帯電話１０の非認証エリアに位置するとき、携帯電話１０は、無線通信ユニット３０から送信される識別ＩＤを十分な信号強度で受信することはできず（図７（ｂ）のア、イの処理に該当）、待ち受けモードを維持する。その後、無線通信ユニット３０が携帯電話１０の非認証エリアから認証エリアに移動すると、携帯電話１０には図７（ｂ）ウ、エのように十分な信号強度のサーチ信号が到達するようになる。携帯電話１０は、図７（ｂ）のエのように、受信状態にあるときに無線通信ユニット３０からのサーチ信号に含まれる識別ＩＤを受信し、無線通信ユニット３０から受信した識別ＩＤと携帯電話１０が記憶する識別ＩＤとがペアリングされているものと一致すると判定し次第、携帯電話１０は自身の識別ＩＤを含む応答信号を無線通信ユニット３０に通知して（図７（ｂ）のオの処理に該当）、認証モードに移行することになる（図７（ｂ）のウの処理は、携帯電話１０が識別ＩＤを待ち受けている期間と無線通信ユニット３０が識別ＩＤを送信する周期とが一致せず、携帯電話１０が識別ＩＤを受信することはできなかった場合を示す）。【００５２】  無線通信ユニット３０は、識別ＩＤを含む応答信号が携帯電話１０か��通知されると、以後携帯電話１０との間で例えばチャレンジアンドレスポンス方式を用い、周期的に認証を行う。具体的には、無線通信ユニット３０は、識別ＩＤを含む応答信号が携帯電話１０から通知されると、チャレンジリクエストを携帯電話１０へ送信し（図７（ｃ）のカの処理に該当）、チャレンジリクエストを受信した携帯電話１０は、乱数を発生させて生成したチャレンジ信号を無線通信ユニット３０へ送信し（図７（ｃ）のキの処理に該当）、チャレンジ信号を受信した無線通信ユニット３０は、このチャレンジ信号に対して暗号化処理を行って生成したレスポンス信号を携帯電話１０へ送信し（図７（ｃ）のクの処理に該当）、レスポンス信号を受信した携帯電話１０は、復号化したレスポンス信号とチャレンジ信号とが一致すると携帯電話１０が備える各種機能の利用を許可する状態になり、復号化したレスポンス信号とチャレンジ信号とが不一致だと携帯電話１０が備える各種機能の利用を禁止もしくは制限する状態になる。復号化したレスポンス信号とチャレンジ信号とが一致する場合には、その後、携帯電話１０は、一定距離以内にペアリングされた携帯電話が存在する旨を、周期的に無線通信ユニット３０に通知することになる（図７（ｃ）のオの処理に該当）。なお、携帯電話１０−無線通信ユニット３０間でのチャレンジアンドレスポンス方式を用いた認証中に、認証が失敗したり、上述の信号の送受が途絶えると、携帯電話１０は待ち受けモードに移行し、無線通信ユニット３０は識別ＩＤを含むサーチ信号の送信を開始することになる。【００５３】  表示部１３４は、ランプなどの表示手段であり、制御部１３３で行われる認証に成功したときと失敗したときとで異なる形式で表示し、例えば、ランプの点滅や点灯する色を変化させることによって認証結果を表示する。これによって、例えば、使用者は非接触ＩＣ回路を使用するとき、その回路を利用したサービスを利用することが可能か、どうかを判別することができる。なお、表示部１３４は、無線認証回路１３の一機能として記載したが、従来の携帯電話装置に備わる表示装置を利用して、表示するようにしても良い。その際には、無線認証回路１３の制御部１３３から出力した表示用の制御信号が、携帯電話装置に備わる制御回路１４に入力され、その制御回路１４の制御により携帯電話装置に備わる表示装置に表示される。【００５４】  制御回路１４は、携帯電話１０全体の動作を制御する。
以上のように構成された携帯電話１０について、図２に示すフローチャート及び図３に示す各電圧波形図に基づいてその動作を説明する。【００５５】  まず、携帯電話１０は、携帯電話利用者が携帯電話１０に対して何らからの操作、例えば、携帯電話のいずれかのボタンに対する押下操作や、折りたたみ式の携帯電話に対する開閉操作、を行なったことを検出する。図２に示すフローチャートでは、携帯電話利用者が携帯電話１０に内蔵された非接触ＩＣ回路にデータの読み取り処理を行わせる操作を行なったことを検出する場合について詳細に説明している。携帯電話利用者が、機能が制限されている携帯電話１０を、読取装置２０により読取操作を行うために、読取装置２０に携帯電話１０を近づけていくと、携帯電話１０内部の非接触ＩＣ回路１２に電波が入力される（ステップＳ２０１）。このとき、非接触ＩＣ回路１２の受信信号を図３（ａ）の「充電」の区間に示す。【００５６】  ステップＳ２０１で入力された電波は整流部１２２に入力されると、直流電圧Ｖｉｎに変換される。整流部１２２より変換され、取得した直流電圧の推移例を図３（ｂ）に示す。読取装置２０に非接触ＩＣ回路１２が近づくほど、整流部１２２が変換する直流電圧Ｖｉｎの値は増大し、その結果、その直流電圧Ｖｉｎの値が閾値電圧Ｖｐを越えると、電圧検出回路１１は電圧Ｖｉｎが発生したことを検出する（ステップＳ２０２）。【００５７】  電圧検出回路１１は電圧Ｖｉｎが発生したことを検出すると、制御部１２４に対して制御信号Ｓ１を出力する。その制御信号Ｓ１を受信した制御部１２４は、非接触ＩＣ回路１２を待機状態にさせ、読取装置２０への応答を待機する（ステップＳ２０３）。制御信号Ｓ１は図３（ｃ）に示すように、検出電圧Ｖｉｎは閾値電圧Ｖｐを超えると、出力される。なお、非接触ＩＣ回路１２は、待機状態期間中であっても、読取装置２０からのコマンド通知用電波の受信は行うことができ、このときの、非接触ＩＣ回路１２の受信信号を図３（ａ）の「コマンド受信」の区間に示す。非接触ＩＣ回路１２は、読取装置２０からのコマンド通知用電波の受信を、待機状態中に行っても良いし、後述する待機状態解除後に行っても良い。【００５８】  なお、携帯電話１０は、携帯電話のいずれかのボタンに対する押下操作や折りたたみ式の携帯電話に対する開閉操作を行なったことを検出する場合、上述したステップＳ２０１からステップＳ２０３の処理の代わりに、所定のボタンからの入力信号や携帯電話の開閉を検出するセンサからの信号を検出することにより、携帯電話利用者が携帯電話１０に対して何らからの操作を行なったことを検出する。【００５９】  また、電圧検出回路１１は、制御部１３３に対して、制御信号Ｓ２を出力して電圧を検出したことを通知すると、制御部１３３は、ロック解除装置３０とロック解除のための無線通信を行う（ステップＳ２０４、ステップＳ２０７）。制御信号Ｓ２は図３（ｄ）に示すように、制御信号Ｓ１と同じく検出電圧Ｖｉｎは閾値電圧Ｖｐを超えると、出力される。なお、電圧検出回路１１は、制御信号Ｓ１、Ｓ２の順に信号を出力するように記載したが、その順番が逆になってもよいし、並列動作になっても構わない。【００６０】  無線認証回路１３の制御部１３３は、電圧検出回路１１からの制御信号Ｓ２を受け取ると、ロック解除装置３０に対してロック解除コードを要求するために、解除コード要求コマンドを送信する（ステップＳ２０４）。ここで、制御部１３３より出力されたロック解除コード要求コマンド信号はＲＦ部１３１より無線で伝送できるように変換され、アンテナを介して送信される。【００６１】  ロック解除装置３０はアンテナを介して携帯電話１０からのロック解除コード要求コマンドを受信し（ステップＳ２０５）、ロック解除装置３０に保存されている携帯電話１０の所有者があらかじめ指定したロック解除コードを送信する（ステップＳ２０６）。なお、ステップＳ２０４からステップＳ２０６の処理によって、携帯電話１０がロック解除装置３０に対してロック解除コードを要求し、その要求に応じてロック解除装置３０がロック解除コードを送信する構成としたが、この処理は必ずしも必須なものではない。つまり、ロック解除装置３０がロック解除コードを定期的に送信しており、ロック解除装置３０と無線通信可能な範囲にある携帯電話１０がそのロック解除コードを受信する構成であっても構わない。
また、ロック解除装置３０が無線認証回路１３に対し、ロック解除コード以外の信号、例えば特定の識別ＩＤを送信することで認証を行い、認証が成功しているときに無線認証回路１３が携帯電話１０に対し、ロック解除コードを送るという構成であってもかまわない。【００６２】  無線認証回路１３はアンテナを介してロック解除装置３０からのロック解除コードを受信する（ステップＳ２０７）。【００６３】  無線認証回路１３の制御部１３３はメモリ１３２から携帯電話１０の特定の使用者であるかを認証するためのあらかじめ指定したロック解除コードを取得し、ステップＳ２０７で受信したロック解除コードと照合することより、認証を行う（ステップＳ２０８）。ロック解除コードが確認できない場合、すなわち受信したロック解除コードとメモリ１３２が保存しているあらかじめ指定したロック解除コードと一致しない場合、使用者は特定の使用者ではないとみなして、ロック解除コードを確認できなかったことを表示部１３４に表示させ（ステップＳ２０９）、ステップＳ２０４に戻り、再度解除コードを要求する。【００６４】  一方、ステップＳ２０８において、ロック解除コードが確認できた場合、すなわち使用者は特定の使用者である場合、確認結果を表示部１３４に表示させる（ステップＳ２１０）。また、無線認証回路１３は、ロック解除コードが確認でき次第、電圧検出回路１１に対し、図３（ｄ）に示す制御信号Ｓ３を返し、電圧検出回路１１はその制御信号Ｓ３を受けると、制御部１２４に対して、図３（ｃ）に示す制御信号Ｓ４を出力し、制御部１２４はその制御信号Ｓ４を受け取って、非接触ＩＣ回路１２の待機状態を解除する（ステップＳ２１１）。【００６５】  待機状態が解除された非接触ＩＣ回路１２は、直ちに動作を開始し、読取装置２０に対して応答し（ステップＳ２１２）、非接触ＩＣ回路１２からの応答コマンドを受け取った読取装置２０は非接触ＩＣ回路１２に対してリード／ライトを行い（ステップＳ２１３）、処理が終了する。ステップＳ２１４、Ｓ２１５の処理で、非接触ＩＣ回路１２が受信する受信信号を図３（ａ）の「リード／ライト」の区間に示す。【００６６】  このような本発明の第１の実施形態にかかる携帯電話によれば、使用者がロックのかかっている携帯電話を操作しようとしたときに認証を行い、認証ができたときのみ、携帯電話のロックが解除される。これにより、ロック解除用信号を受信する回数を効率的に減らして、ロック解除処理に伴う電力消費を抑えることができる。【００６７】  また、特に、非接触ＩＣ回路を内蔵する携帯電話の非接触ＩＣ回路に対してリード／ライト操作を行おうとしたとき、自動的に認証を行い、認証ができたときのみ、ロックが解除される。これによって、ユーザの手を煩わせることなく、ロック解除動作が完了するので、安全にＩＣ回路を利用することができ、ロック解除用信号を受信する回数を効率的に減らして、ロック解除処理に伴う電力消費を抑えることができる。【００６８】  また、表示部が認証結果を表示することにより、使用者は非接触ＩＣ回路を使用するとき、その回路を利用したサービスを利用することが可能か、どうかを判別することができる。
また、以上の説明では機能がロックされた携帯電話が所定の処理を検出したとき、すなわち、使用者が操作しようとしたときに、携帯電話とロック解除装置が認証を行い、認証ができたときのみ、携帯電話のロックが解除されるとしたが、さらに、認証ができなかったときは、携帯電話のロックがロックされているいないにかかわらず、携帯電話の機能をロックするようにしても良い。この点、以下の実施の形態でも同様である。【００６９】  （第２の実施形態）
次に、本発明の第２の実施形態にかかる携帯電話について説明する。
図４は、本発明の第２の実施形態にかかる携帯電話の構成を示すブロック図である。  第２の実施形態の携帯電話４０は、図１に示す第１の実施形態の構成において、電源回路４１を設けたものである。なお、図１に示した第１の実施形態の携帯電話１０と同一の構成要素には、同一の符号を付してその説明を省略する。【００７０】  電源回路４１は、無線認証回路１３へ電源を供給するものであり、無線認証回路１３は定常的に電源を切っておき、電圧検出回路１１はある閾値を超えた電圧を検出したときに電源回路４１へ制御信号Ｓ５を出力し、電源回路４１は電圧検出回路１１からの制御信号を受け取ると無線認証回路１３へ電源を供給する。【００７１】  以上のように構成された携帯電話４０について、図５に示すフローチャートに基づいてその動作を説明する。【００７２】  この図５において、非接触ＩＣ回路１２を待機状態にさせるまでの手順、すなわちステップＳ２０１〜２０３の動作は、図２に示した第１の実施形態と同じであるので説明を省略する。なお、第１実施形態と同様、携帯電話１０は、携帯電話利用者が携帯電話１０に対して何らからの操作、例えば、携帯電話のいずれかのボタンに対する押下操作や、折りたたみ式の携帯電話に対する開閉操作、を行なったことを検出する構成であっても構わない。【００７３】  ステップＳ２０２において、電圧検出回路１１は電圧Ｖｉｎが発生したことを検出すると、電源回路４１に対して、無線認証回路１３に電力の供給を開始するための制御信号Ｓ５を出力し、その通知を受け取った電源回路４１が無線認証回路１３へ電力を供給する（ステップＳ５０１）。なお、電圧検出回路１１は、制御信号Ｓ１、Ｓ５の順に信号を出力するように記載したが、その順番が逆になってもよいし、並列動作になっても構わない。【００７４】  無線認証回路１３の制御部１３３は、ステップ５０１により、電力が供給されると、電圧検出回路１１からの制御信号Ｓ２を受け取り、ロック解除装置３０に対してロック解除コードを要求するために、解除コード要求コマンドを送信する（ステップＳ５０２）。【００７５】  ステップＳ５０２以降の手順、すなわちステップＳ２０５〜２１３の動作は、図２に示した第１の実施形態と同じであるので説明を省略する。【００７６】  非接触ＩＣ回路１２の制御部１２４は、ステップＳ２１３の処理後、非接触ＩＣ回路１２へのリーダ／ライト処理が終了すると、電圧検出回路１１にその旨を通知し、電圧検出回路１１は、無線認証回路１３に電力の供給を停止するための制御信号Ｓ６を電源回路４１に出力する。【００７７】  このような本発明の第２の実施形態にかかる携帯電話によれば、電源回路を設けることにより、無線認証回路は定常的に電力が供給されていない状態になって、携帯電話を操作しようとしたときに電力が供給される。これによって、さらに電力消費を抑えることができる。【００７８】  なお、以上の説明では、携帯電話の無線認証回路がロック解除装置と無線で通信することによりロック解除コードを取得し、認証する例について説明した。このロック解除装置以外に、無線認証回路が、これら携帯電話に付属する、携帯端末装置の使用者が常時携帯可能な無線通信ユニット（キー）と無線で通信���る構成としても良い。この無線通信ユニットと携帯電話から構成される使用制限システムは、携帯電話に割り当てられた識別コードを相互に無線通信（ポーリング）している期間中、携帯端末装置は自装置の使用制限を解除し、相互の距離が離れて無線受信レベルが所定の値以下に低下した際に、携帯端末装置は自装置の使用制限の解除を停止して操作不能にするとともに、無線通信ユニットは警報信号を発するようにしたものである。これにより、携帯電話紛失時に携帯電話の機能を制限して第３者による悪用を防ぐだけでなく、携帯電話の紛失を防ぐことができる。【００７９】  また、以上の説明では、携帯電話が内蔵した非接触ＩＣ回路に対する操作を行う例について説明したが、折りたたみ式の携帯電話に対する開閉操作や、携帯電話のいずれかのボタンに対する操作などについても同様に実施可能である。【００８０】  （第３実施形態）
第１、２実施形態の携帯電話は、携帯電話１０が備える各種機能の利用を禁止もしくは制限する待ち受けモードである場合、ロック解除装置３０を所持する所有者が携帯電話に内蔵した非接触ＩＣ回路に対する操作を行おうとしたり、折りたたみ式の携帯電話に対する開閉操作をしたり、携帯電話のいずれかのボタンに対する操作を行ったりしたときに無線通信ユニット３０から送信されてくる識別ＩＤを受信する受信状態（図７（ｂ）を参照）になることで、すぐに認証を開始できるようにし、使用制限を解除する。しかしながら、一度離れたロック解除装置３０がすぐに近づく場合は自動的に認証動作が完了することが好ましく、定期的に受信状態になることが必要である。一方で、ロック解除装置３０が携帯電話１０にすぐに近づかない場合、この受信状態が長時間繰り返されてしまうことになるので、携帯電話１０が消費する消費電力が増大してしまうことになる。そこで、第３実施形態では、上述の受信状態に切り替わる回数を携帯電話利用者の利用状況に合わせて減らすことにより、消費電力を低減するとともにロック解除装置３０を持つ所有者が携帯電話１０を使用したいときに即座に認証動作を行い、ロックを解除する（各種機能の実行を許可する）ことができる携帯電話について説明する。図９に、本発明の第３の実施形態にかかる携帯電話の構成を示すブロック図を示す。【００８１】  本実施形態では、携帯端末装置の例として携帯電話を用い、その携帯電話利用者が折り畳み式携帯電話を開閉したり、携帯電話に備わるキー操作部を押下したり、などの操作をするときの例について説明する。携帯電話１０は、無線認証回路１３と、制御回路１４と、操作部１５と、メモリ１６と、電源回路１７と、を有する構成である。【００８２】  無線認証回路１３は、第１の実施形態で述べたロック解除装置３０との間での認証処理に加え、無線通信ユニット３０からの信号を受信可能な受信状態の周期を携帯電話１０が各種機能の利用を禁止もしくは制限する状態の継続時間に応じて長くする処理を実施する（図９の受信状態間の時間間隔ｔａ、ｔｂ、ｔｃ参照）。無線認証回路１３の処理の詳細については後述する。【００８３】  制御回路１４は、携帯操作検出部１４１、認証状態検出部１４２、タイマー１４３、タイマー値比較部１４４、機能制御部１４５、とを備える。携帯操作検出部１４１は、携帯電話利用者による開閉ボタン１５１の押下やキー操作部１５２による入力操作を検出する（ここでは、折り畳み式携帯電話の開閉を開閉ボタン１５１の押下によってワンプッシュで行なうことを想定している。なお、開閉ボタン１５１の押下以外の方法で折り畳み式携帯電話の開閉を行なう場合、携帯操作検出部１４１は、折り畳み式携帯電話の開閉を検知するセンサからの入力信号に応じて、携帯電話利用者による操作を検出する構成であっても構わない）。認証状態検出部１４２は、無線認証回路１３から通知される認証結果（認証失敗あるいは認証成功）に応じて、無線認証回路１３−ロック解除装置３０間の認証状態が認証失敗の状態にあるのか認証成功の状態にあるのかを検出する。タイマー１４３は、認証状態検出部１４２が認証失敗の状態にあると検出した時点から計時を開始する。タイマー値比較部１４４は、タイマー設定用メモリ１６に記憶された所定のタイマー値と、タイマー１４３により計時中のタイマー値と、を比較し、タイマー１４３により計時中のタイマー値が所定のタイマー値を上回ったときに、その旨を知らせる信号を機能制御部１４５に出力する（なお、タイマー設定用メモリ１６に記憶されるタイマー値は複数設定されていてもよく、このとき、タイマー値比較部１４４は、タイマー１４３により計時中のタイマー値が複数のタイマー値のいずれかを上回ったそれぞれのときに、その旨を知らせる信号を出力するようにする）。【００８４】  機能制御部１４５は、認証状態検出部１４２が認証失敗の状態にあると検出しているときに、携帯操作検出部１４１が携帯電話１０への操作を検出すると電源回路１７から無線認証回路１３に電力を供給して無線認証回路１３に認証を開始させ、認証状態検出部１４２が検出した認証状態に応じて携帯電話１０が備える各種機能の実行を禁止もしくは制限する状態（ロック状態）あるいは許可する状態（ロック解除状態）に切り替え、認証状態検出部１４２が認証失敗の状態にある期間中にタイマー値比較部１４４から信号が通知される度に無線認証回路１３に電力を供給する周期を長くする。無線認証回路１３は、電源回路１７から電力が供給されている期間中にロック解除装置３０からの信号を待ち受ける受信状態となるため、電源回路１７からの電力供給の周期が長くなることによって、受信状態の周期も長くなることになる。【００８５】  ここで、無線認証回路１３による次の受信状態までの周期を延長する方法について説明する。図１０に、本発明の第３の実施形態の携帯電話による、次の受信状態までの周期を延長する際の概念図を示す。なお、図１０では、ロック解除装置３０のことを携帯電話１０と無線通信を行う無線通信ユニットとして一般化して称している。【００８６】  図１０では、携帯電話１０−無線通信ユニット３０間でのチャレンジアンドレスポンス方式を用いた認証中に信号の送受が途絶え、携帯電話１０が認証モードから待ち受けモードに移行する場合を図示している。無線認証回路１３は、無線通信ユニット３０からの信号が途絶えた後、携帯電話１０の各種機能を禁止または制限し、タイマー１４３に計時を開始させる。その後、無線認証回路１３は認証モードから待ち受けモードへと移行し、ｔ２の期間受信状態を継続し（図１０における受信状態１に該当）、受信状態１期間中に無線通信ユニット３０から信号を受信できなければ、ｔａの時間を置いて再度ｔ２の期間受信状態を継続する（図１０における受信状態２に該当）。なお、無線認証回路１３による受信状態の期間の制御は、機能制御部１４５が電源回路１７から無線認証回路１３へ電力供給するタイミングを制御することにより行っている。なお、タイマー１４３にて計時を開始させるタイミングはこの限りではなく、例えば、受信状態１の期間中に無線通信ユニット３０からの信号が受信できなかったときに、計時を開始させても良い。【００８７】  その後、機能制御部１４５がタイマー値比較部１４４から信号を通知される度に電源回路１３から無線認証回路１３へ電力供給するタイミングを長くするよう制御することにより、無線認証回路１���による次の受信状態までの間隔が長くなることになる（図１０では、受信状態２の後ｔｂ（ｔａ＜ｔｂ）の時間を置いてｔ２の期間受信状態３が、さらに受信状態３の後ｔｃ（ｔｂ＜ｔｃ）の時間を置いてｔ２の期間受信状態４が、それぞれ記されている）。次の受信状態までの時間間隔の具体例としては、タイマー設定用メモリ１６に３０分後、６０分後と設定しておき、機能制御部１４５は、認証状態検出部１４２が認証失敗の状態にあると検出してから３０分未満の期間には１０秒間隔で受信状態を繰り返し、認証状態検出部１４２が認証失敗の状態にあると検出してから３０分以上６０分未満の期間には３０秒間隔で受信状態を繰り返し、認証状態検出部１４２が認証失敗の状態にあると検出してから６０分以上の期間には１分間隔で受信状態を繰り返す、ことが考えられる。この構成によって、携帯電話１０−無線通信ユニット３０間での認証が成功する可能性の薄いときには無線認証回路１３による受信状態の切り替え回数を減らすことによって、無線認証回路１３が消費する電力を効果的に抑えることができる。なお、図１０では、ｔａ、ｔｂ、ｔｃ、・・・のように、１回の受信ごとに受信間隔を長くする例を示しているが、ｔａ、ｔａ、・・・、ｔｂ、ｔｂ、・・・、ｔｃ、ｔｃ、・・・のように、複数回の受信ごとに受信間隔を長くするようにしてもよい。【００８８】  なお、受信状態の期間ｔ２は、無線通信ユニット３０が信号を送信する周期ｔ１よりも大きいことが好ましい。この構成により、非認証エリアに存在した無線通信ユニット３０が認証エリアに入ったときに、無線認証回路１３が無線通信ユニット３０から送信される信号（識別ＩＤ）を無線通信ユニット３０が認証エリアに入った後の最初の受信状態で確実に受信することができるため、無線認証回路１３は即座に無線通信ユニット３０が認証エリアに存在することを検知することができる（間隔ｔａ、ｔｂ、ｔｃが非常に大きくなることも考えられ、無線通信ユニット３０が認証エリアに入った後の最初の受信状態で無線通信ユニット３０からの信号を受信できないと、無線通信ユニット３０が認証エリアに存在することを検知することが大幅に遅れてしまう恐れがある）。【００８９】  次に、無線認証回路１３が待ち受けモードから認証モードに移行する際の携帯電話各部の処理について説明する。図１１に、本発明の第３の実施形態の携帯電話における待ち受けモードから認証モードへ移行する際の概念図を示す。図１１（ａ）には、携帯電話が無線認証ユニットから信号を受信したときに待ち受けモードから認証モードへ移行する場合の概念図、図１１（ｂ）には、携帯電話が携帯電話への操作を検出したときに待ち受けモードから認証モードへ移行する場合の概念図、をそれぞれ示す。次の受信状態までの時間間隔が長くなった後、無線認証回路１３は、受信状態にあるときに無線通信ユニット３０からの信号を受信すると（図１１（ａ）では受信状態７において受信している）、無線認証回路１３は受信後に無線通信ユニット３０に対して応答信号を返すと待ち受けモードから認証モードに移行する。【００９０】  また、機能制御部１４５が携帯電話１０への操作を検出したことを携帯操作検出部１４１から通知されると、���イマー値比較部１４４からの次の受信状態への移行を通知する信号を待たずに、無線認証回路１３は電力を供給されて即座に受信状態となる（図１１（ｂ）では受信状態１０に該当）。その後、無線認証回路１３は、受信状態中に無線通信ユニット３０からのサーチ信号を受信すると、無線通信ユニット３０に応答信号を返し、待ち受けモードから認証モードに移行する。また、携帯電話１０に操作がなされるときは、認証の緊急性が高いと判断されることから、図１２（ａ）の携帯電話が携帯電話への操作を検出したときに待ち受けモードから認証モードへ移行する場合の概念図に示すように、機能制御部１４５は、携帯電話１０への操作を検出したことを携帯操作検出部１４１から通知された時点から通常の受信状態の期間（ｔ２）よりも長い期間（ｔ３）、受信状態を継続するようにして、無線認証ユニットからの信号を受信し易い環境にしても良い。また、図１２（ｂ）に示すように、携帯操作検出部１４１による携帯電話１０への操作検出後、受信状態において無線通信ユニット３０からのサーチ信号が受信できなかった場合に一定時間経過後に再び受信状態に移行しても良い。このとき、図１２（ｃ）に示すように、次の受信状態までの時間間隔は携帯電話１０への操作検出前からの続きでも、タイマー１４３をリセットして次の受信状態までの時間間隔をｔａに戻すようにしてもよく、この場合、次の受信状態までの時間間隔を戻した後に、無線通信ユニット３０からの信号を受信できない状態が続くと、次の受信状態までの間隔が再度長くすることになる。
これにより、無線認証ユニットをもたない第三者が携帯操作を行っても無線認証回路１３はサーチ信号を受信できないので、第三者に携帯電話を使用されずにすむとともに、その後は元の待ち受けモードに戻るので、無線認証回路１３が消費する電力の低減を継続することができる。【００９１】  ところで、タイマー１４３が計時するタイマー値に応じて段階的に無線認証回路１３による次の受信状態までの期間を長くする構成について上述したが、タイマー１４３によって計時するタイマー値が所定の値を超えると無線認証回路１３を受信状態に切り替えないようにすることも考えられる。この場合、携帯電話１０への操作を検出したときに無線認証回路１３を受信状態に切り替える構成によって、無線通信ユニットとの認証を行なう必要性の高い携帯電話が操作されるときのみ無線認証回路１３を受信状態にすればよいため、無線認証回路１３が消費する電力を最小限に抑えつつ、無線通信ユニットを保持していない者による携帯電話の不正利用を防止することができる。
また、タイマー１４３のかわりにカウンタを用いて、サーチ信号を受信できなかった受信状態が連続して所定の回数あった場合に次の受信状態までの時間間隔を長くする構成であってもかまわない。【００９２】  次に、本発明の第３の実施形態にかかる携帯電話の処理を、図１３に示す本発明の第３の実施形態にかかる携帯電話のフローチャートを参照して説明する。なお、図１３のフローチャートでは、認証を失敗してから、再び認証を成功するまでの動作において、タイマー１４３によって計時するタイマー値が所定の値を超えたときに、無線認証回路１３が次の受信状態に切り替わるまでの時間間隔を変更する場合に携帯電話が行なう処理について説明する。【００９３】  携帯電話１０は、無線認証ユニット３０との認証に失敗すると、まず各種機能の実行を禁止もしくは制限する状態（ロック状態）に設定する（Ｓ１３０１）。ステップＳ１３０１の処理は、各種機能の実行を許可する状態（ロック解除状態）に設定するものであっても構わないが、携帯電話の不正利用を防止するという観点からここではロック状態から始めることとする。次いで、携帯電話１０はタイマーの計時を開始し（Ｓ１３０２）、無線認証回路１３に電力を一定期間（図１０における受信状態ｔ２の期間）供給して認証を行う（Ｓ１３０３）【００９４】  無線認証回路１３に電力を供給した一定期間において、携帯電話１０は、認証に失敗すると（Ｓ１３０４、Ｎｏ）、各種機能の実行を禁止もしくは制限する状態（ロック状態）を維持する。その後、携帯電話１０への入力操作があれば（Ｓ１３０５、Ｙｅｓ）、携帯電話１０への入力操作があった時点でＳ１３０３の処理を行なって認証を行う（Ｓ１３０４）。携帯電話１０は、携帯電話１０への入力操作がなければ（Ｓ１３０５、Ｎｏ）、前回の無線認証回路１３への電力供給から時間Ｔ１（図１０におけるｔａが示す期間）経過したか否かを判定し（Ｓ１３０６）、経過していなければ再度Ｓ１３０５の処理を行なう。【００９５】  携帯電話１０は、ステップＳ１３０６の処理において時間Ｔ１経過していると判定すると（ステップＳ１３０６、Ｙｅｓ）、タイマー１４３が計時を開始してから現時点までのタイマー値が所定値Ｘ１（タイマー設定用メモリ１６に記憶されているタイマー値のうち最小の値のもの）を越えているかを判定し（Ｓ１３０７）、所定値Ｘ１を越えていなければ（Ｓ１３０７、Ｎｏ）、ステップＳ１３０３からステップＳ１３０６までの処理を繰り返す。一方、所定値Ｘ１を越えていれば（Ｓ１３０７、Ｙｅｓ）、時間Ｔ１をＴ２（図１０におけるｔｂが示す期間。なお、ｔｂ＞ｔａである）に更新し（Ｓ１３０８）、さらに所定値Ｘ１をＸ２（タイマー設定用メモリ１６に記憶されているＸ１を除くタイマー値のうち最小の値のもの）に変更し、ステップＳ１３０３からステップＳ１３０９までの処理を繰り返す。なお、再度ステップＳ１３０８の処理を実行するときは、時間Ｔｉ−１よりも大きい値の時間Ｔｉに更新し、再度ステップＳ１３０９の処理を実行するときは、所定値Ｘｉ−１よりも大きい値のＸｉに変更する。なお、時間Ｔｉを無限大に設定することにより、実質的に無線認証回路１３を受信状態に切り替えないようにすることもできる（���の場合には、携帯電話１０への操作があるまで、ステップＳ１３０５とＳ１３０６の処理が繰り返されることになる）。【００９６】  ステップＳ１３０４の処理において、携帯電話１０は、認証に成功すると（Ｓ１３０４、Ｙｅｓ）、各種機能の実行を許可する状態（ロック解除状態）に設定する（Ｓ１３１０）。さらに、タイマー１４３のタイマー値を０に戻し（Ｓ１３１１）、さらに所定値ＸｉをＸ１に変更し（Ｓ１３１２）、時間ＴｉをＴ１に更新して（Ｓ１３１３）、待ち受けモードから認証モードへ移行する際の処理を終了し、その後図８のフローを繰り返すことになる。【００９７】  本発明の第３の実施形態の携帯電話によれば、無線認証回路が受信状態に切り替わる回数を携帯電話利用者の利用状況に合わせて減らすことにより、ロック解除装置を保持していない者による携帯電話の不正利用を防止しつつ、無線認証回路がロック解除装置との間での認証のために消費する電力消費を軽減することができる。【００９８】  （第４の実施形態）
第１、２、３の実施形態の携帯電話では、携帯電話１０への携帯電話利用者の操作（例えば、携帯電話利用者による非接触ＩＣカードを利用するための操作、操作キーへの入力操作、折り畳み式携帯電話の開閉操作、など）を検出し、その検出をトリガーとして無線認証回路１３−ロック解除装置３０間での認証を開始させるものであった。第４の実施形態の携帯電話では、携帯電話１０による特定の処理を検出し、その検出をトリガーとして無線認証回路１３−ロック解除装置３０間での認証を開始させる携帯電話について説明する。図１４に、本発明の第４の実施形態にかかる携帯電話の構成を示すブロック図を示す。【００９９】  本発明の第４の実施形態の携帯電話の構成は、第３の実施形態の携帯電話の構成に加え、携帯無線部１８と、制御回路１４に設けられた電話着信・メール受信検出部１４６と、スピーカ１９１、マイク１９２および表示部１９３から成る入出力部１９と、を設けたものである。【０１００】  携帯無線部１８は、携帯電話用の基地局４０と無線通信を行い、音声通話やデータ通信を実現する。電話着信・メール受信検出部１４６は、他の電話機からの発信処理に対して携帯無線部１８が着信したこと、および他の端末から送信された電子メールを携帯無線部１８が受信したことを検出する。機能制御部１４５は、携帯無線部１８によって受信した通話用の音声データをスピーカ１９１に音出力させ、マイク１９２によって収音した音信号を携帯無線部１８に通話用の音声データとして送信させる。また、機能制御部１４５は、携帯無線部１８によって受信したメールを表示部１９３に表示させたり、電話着信に携帯電話利用者が応答できなかったときに電話着信があったこと（着信の有無）を表示部１９３に表示させたり、表示部１９３に表示していない（携帯電話利用者がまだ閲覧していない）電子メールがあることを表示部１９３に表示させたり、電話の発信元や電子メールの送信元の情報（電話番号、電子メールアドレス、または電話帳機能を利用してその電話番号や電子メールアドレスから特定される個人情報）を表示部１９３に表示させる。【０１０１】  機能制御部１４５による処理は、携帯電話１０による電話着信や電子メールの受信をトリガーとして無線認証回路１３−ロック解除装置３０間での認証を開始させる処理を新たに追加する以外、第３の実施形態における機能制御部１４５による処理と同じである。すなわち、機能制御部１４５は、電話着信・メール受信検出部１４６が携帯無線部１８による電話着信や電子メール受信を検出すると、電源回路１７から無線認証回路１３に電力を供給して無線認証回路１３に認証を開始させ、認証状態検出部１４２が検出した認証状態に応じて携帯電話１０が備える各種機能の実行を禁止もしくは制限する状態（ロック状態）あるいは許可する状態（ロック解除状態）に切り替え、認証状態検出部１４２が認証失敗の状態にあることを繰り返し検出している期間中にタイマー値比較部１４４から信号が通知される度に無線認証回路１３に電力を供給する周期を長くする。【０１０２】  ロック解除装置３０との認証状態に応じてロック状態あるいはロック解除状態に切り替える携帯電話は、ロック状態（待ち受け状態）にあっても、携���電話の主要機能である電話着信機能と電子メール受信機能は実行可能な状態にしておくことが好ましい場合がある。近年の携帯電話は応答できなかった電話着信があることを表示部に表示させたり、未読の受信メールがあることを表示部に表示させたり、または電話の発信元や電子メールの送信元の情報を表示部に表示する表示機能を有しているが、ロック状態にある携帯電話によって電話着信または電子メール受信したときにこの表示機能までも実行可能な状態にしておけば、携帯電話利用者はすぐにその表示を確認することができる。反面、他者にもその表示を見られてしまう危険性があるため、ロック状態にある携帯電話によって電話着信または電子メール受信したときに上述の表示機能までも実行可能な状態にしておくことは、携帯電話利用者のプライバシーや個人情報の漏洩の観点から好ましくない。このため、携帯電話利用者は表示内容を直ぐに確認することができ、かつ他者にはその表示内容を見ることができないようにする制御が必要になる。本発明の第４の実施形態の携帯電話は、この点について詳細に説明する。図１５に、本発明の第４の実施形態の携帯電話が電話着信を検出したときに待ち受けモードから認証モードへ移行する場合の概念図を、図１６に、本発明の第４の実施形態の携帯電話における電話着信時のフローチャートを、それぞれ示す。なお、ここでは、携帯電話１０への電話着信を検出する実施形態について述べているが、電子メールの受信を検出する場合でも同様である。【０１０３】  機能制御部１４５は、携帯電話１０への電話着信を検出したことを携帯操作検出部１４１から通知されると（Ｓ１６０１）、電話着信の有無を表す電話着信フラグをＯＮにし（Ｓ１６０２）、待ち受けモードにある無線認証回路１３は、電力を供給されて受信状態となる（図１５では受信状態１４に該当。Ｓ１６０３）。その後、無線認証回路１３は、受信状態にあるときに無線通信ユニット３０からのサーチ信号を受信し（図１５では受信状態１５において受信している）、応答信号を返すと、待ち受けモードから認証モードに移行する。【０１０４】  無線認証回路１３は、認証モードに移行後認証に成功すると（Ｓ１６０４、Ｙｅｓ）、認証状態検出部１４２から通知を受けた機能制御部１４５は、各種機能の実行を許可する状態（ロック解除状態）に設定し（Ｓ１６０５）、携帯電話１０に電話着信が有ったことを表示部１９３に表示させ（Ｓ１６０６）、電話着信フラグをＯＦＦにしてステップＳ１３１１の処理へ移行する（Ｓ１６０７）。一方、無線認証回路１３は、無線通信ユニット３０からの信号を受信できず、認証に失敗すると（Ｓ１６０４、Ｎｏ）、携帯電話１０に電話着信が有ったことを表示部１９３に表示せず（Ｓ１６０８）、ステップＳ１３０５の処理へ移行する。【０１０５】  携帯電話１０は、電話着信が有ったことを表示部１９３に表示せず、ステップＳ１３０５の処理へ移行した場合、再度認証モードに移行して認証に成功するまでは、電話着信があったことを表示しない。図１７に、本発明の第４の実施形態の携帯電話における電話着信後のフローチャートを示す。携帯電話１０は、ステップＳ１３０５の処理へ移行した後、ステップＳ１３０４の処理において、認���に成功すると（Ｓ１３０４、Ｙｅｓ）、各種機能の実行を許可する状態（ロック解除状態）に設定する（Ｓ１３１０）。さらに、携帯電話１０は、電話着信フラグの有無を判定し、電話着信フラグがあれば（Ｓ１７０１、Ｙｅｓ）、携帯電話１０に電話着信が有ったことを表示部１９３に表示させ（Ｓ１７０２）、電話着信フラグをＯＦＦにしてステップＳ１３１１の処理へ移行する（Ｓ１７０３）。一方、電話着信フラグがなければ（Ｓ１７０１、Ｎｏ）、ステップＳ１３１１の処理へ移行する。【０１０６】  本発明の第４の実施形態の携帯電話によれば、電話着信に携帯電話利用者が応答できなかったときの着信の有無や、未読の電子メールの有無や、着信を残した電話の発信元や電子メールの送信元の情報を、ロック解除装置３０との認証に成功したときのみ表示部に表示させる構成であるため、ロック解除装置３０を保持する携帯電話利用者が携帯電話に近づいたとき、これらの情報を確認することができ、一方、ロック解除装置３０を保持していない他者は携帯電話に近づいてもこれらの情報を確認することができないため、携帯電話利用者による携帯電話の使い勝手の向上と、プライバシー保護や個人情報の漏洩の防止と、を同時に果たすことができる。【０１０７】  さらに、以上の第１から第４の実施形態の説明では、携帯電話を用いて説明したが、ほかの携帯端末装置についても同様に実施可能である。【０１０８】  本発明を詳細にまた特定の実施態様を参照して説明したが、本発明の精神と範囲を逸脱することなく様々な変更や修正を加えることができることは当業者にとって明らかである。【０１０９】  本出願は、２００５年７月４日出願の日本特許出願（特願２００５−１９５１７０）、２００５年１２月２８日出願の日本特許出願（特願２００５−３７９６３９）、に基づくものであり、その内容はここに参照として取り込まれる。
【産業上の利用可能性】
【０１１０】  以上のように、本発明にかかる携帯端末装置、および携帯端末装置の制御方法は、ロック解除用信号を受信する回数を効率的に減らして、ロック解除処理に伴う電力消費を抑えることができるという効果を有し、盗難や置忘れ時に操作を制限するための使用制限機能を有する携帯端末装置等として有用である。
【図１】
2007004368.tif 000003
【図２】
2007004368.tif 000004
【図３】
2007004368.tif 000005
【図４】
2007004368.tif 000006
【図５】
2007004368.tif 000007
【図６】
2007004368.tif 000008
【図７】
2007004368.tif 000009
【図８】
2007004368.tif 000010
【図９】
2007004368.tif 000011
【図１０】
2007004368.tif 000012
【図１１】
2007004368.tif 000013
【図１２】
2007004368.tif 000014
【図１３】
2007004368.tif 000015
【図１４】
2007004368.tif 000016
【図１５】
2007004368.tif 000017
【図１６】
2007004368.tif 000018
【図１７】
2007004368.tif 000019
【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
ロック解除装置から所定のコードを無線通信により受信する無線部と、
前記無線部により受信した所定のコードに基づいて、当該携帯端末装置が有する各種機能の実行を許可または禁止もしくは制限する機能制限制御部と、
を備える携帯端末装置であって、
当該携帯端末装置の所定の処理を検出する検出部を備え、
前記無線部は、前記検出部により当該携帯端末装置の所定の処理を検出した後、前記ロック解除装置から所定のコードを無線通信により受信する、
携帯端末装置。
【請求項２】
ロック解除装置から所定のコードを無線通信により受信するための受信処理を、周期的に行う無線部と、
前記無線部による受信処理によって受信した所定のコードに基づいて、当該携帯端末装置が有する各種機能の実行を許可または禁止もしくは制限する機能制限制御部と、
を備える携帯端末装置であって、
当該携帯端末装置の所定の処理を検出する検出部を備え、
前記無線部は、前記機能制限制御部が当該携帯端末装置の有する各種機能の実行を禁止もしくは制限した時点からの時間に応じて長くなる周期で受信処理を行い、かつ前記検出部により当該携帯端末装置の所定の処理を検出した時点で前記受信処理の周期を短くする、
携帯端末装置。
【請求項３】
ロック解除装置から所定のコードを無線通信により受信するための受信処理を、周期的に行う無線部と、
前記無線部による受信処理によって受信した所定のコードに基づいて、当該携帯端末装置が有する各種機能の実行を許可または禁止もしくは制限する機能制限制御部と、
を備える携帯端末装置であって、
当該携帯端末装置の所定の処理を検出する検出部を備え、
前記無線部は、前記機能制限制御部が当該携帯端末装置の有する各種機能の実行を禁止もしくは制限した時点でその時点以後の受信処理を中断し、前記検出部により当該携帯端末装置の所定の処理を検出した時点で前記受信処理を再開する、
携帯端末装置。
【請求項４】
請求項１から３のいずれか１項に記載の携帯端末装置であって、
前記検出部は、当該携帯端末装置への入力操作または開閉操作を検出する携帯端末装置。
【請求項５】
請求項１から３のいずれか１項に記載の携帯端末装置であって、
ＲＦＩＤリーダと無線通信を行う非接触ＩＣ回路を備え、
前記検出部は、前記ＲＦＩＤリーダとの無線通信により、前記非接触ＩＣ回路に発生する電圧を検出し、
前記機能制限制御部は、前記非接触ＩＣ回路による処理の実行を許可あるいは禁止する携帯端末装置。
【請求項６】
請求項５記載の携帯端末装置であって、
前記非接触ＩＣ回路は、前記機能制限制御部が許可した後、前記ＲＦＩＤリーダとの無線通信を再開する携帯端末装置。
【請求項７】
請求項６記載の携帯端末装置であって、
前記検出部は、前記非接触ＩＣ回路に駆動用電力を供給するための無線電波を受信した、前記非接触ＩＣ回路に発生する電圧を検出し、
前記機能制限制御部は、前記非接触ＩＣ回路による、前記ＲＦＩＤリーダに応答するための無線電波の送信処理の実行を、許可あるいは禁止し、
前記非接触ＩＣ回路は、前記機能制限制御部が許可した後、前記ＲＦＩＤリーダに応答するための無線電波を前記ＲＦＩＤリーダに送信する、
携帯端末装置。
【請求項８】
請求項１から３のいずれか１項に記載の携帯端末装置であって、
少なくとも、通話部および電子メール送受信部のいずれか一方、または両方を備え、
前記検出部は、少なくとも前記通話部による電話の着信処理または前記電子メール送受信部による電子メールの受信処理を検出する携帯端末装置。
【請求項９】
請求項８記載の携帯端末装置であって、
前記無線部は、前記検出部により少なくとも前記通話部による電話の着信処理または前記電子メール送受信部による電子メールの受信処理の一方を検出した後、前記ロック解除装置から所定のコードを無線通信により受信する、
携帯端末装置。
【請求項１０】
請求項９記載の携帯端末装置であって、
各種情報を表示する表示部を備え、
前記表示部は、前記機能制限制御部が当該携帯端末装置の有する各種機能の実行を許可した場合、電話の着信があったことまたは電子メールを受信したことを表す情報を表示する、
携帯端末装置。
【請求項１１】
請求項１から１０のいずれか１項に記載の携帯端末装置であって、
前記無線部に駆動用電力を供給する電源回路を備え、
前記電源回路は、前記検出部により当該携帯端末装置の処理を検出した後、前記無線部に駆動用電力を供給し、
前記無線部は、前記電源回路からの駆動用電力の供給を受けて、前記ロック解除装置から所定のコードを無線通信により受信する、
携帯端末装置。
【請求項１２】
請求項１から３のいずれか１項に記載の携帯端末装置であって、
前記機能制限制御部は、当該携帯端末装置が有する各種機能の実行を禁止もしくは制限された状態で、前記検出部により所定の処理を検出し、前記ロック解除装置から所定のコードを無線通信により受信したときに、各種機能の実行を許可する携帯端末装置。
【請求項１３】
請求項１から３のいずれか１項に記載の携帯端末装置であって、
前記機能制限制御部は、当該携帯端末装置が有する各種機能の実行を許可された状態で、前記検出部により所定の処理を検出し、前記ロック解除装置から所定のコードを無線通信により受信しないときに、各種機能の実行を禁止もしくは制限する携帯端末装置。
【請求項１４】
所定のコードを無線通信により受信するための受信処理を周期的に行い、受信した所定のコードに基づいて、携帯端末装置の各種機能の実行を許可または禁止もしくは制限する方法であって、
当該携帯端末装置の所定の処理を検出するステップと、
当該携帯端末装置の有する各種機能の実行を禁止もしくは制限した時点からの時間に応じて受信処理の周期を長くし、かつ、前記検出部により当該携帯端末装置の所定の処理を検出した時点で前記受信処理の周期を短くするステップと、
を備える携帯端末装置の各種機能の実行を許可または禁止もしくは制限する制御方法。
【請求項１５】
所定のコードを無線通信により受信するための受信処理を周期的に行い、受信した所定のコードに基づいて、携帯端末装置の各種機能の実行を許可または禁止もしくは制限する方法であって、
当該携帯端末装置の所定の処理を検出するステップと、
当該携帯端末装置の有する各種機能の実行を禁止もしくは制限した時点でその時点以後の受信処理を中断し、かつ、前記検出部により当該携帯端末装置の所定の処理を検出した時点で前記受信処理を再開するステップと、
を備える携帯端末装置の各種機能の実行を許可または禁止もしくは制限する制御方法。
【手続補正２】
【補正対象書類名】明細書
【補正対象項目名】全文
【補正方法】変更
【補正の内容】
【発明の詳細な説明】
【技術分野】
【０００１】
本発明は、盗難や置忘れ時に、操作を制限するための使用制限機能を有する携帯端末装置、および携帯端末装置の制御方法に関するものである。
【背景技術】
【０００２】
近年、電気通信技術の進歩に伴い、携帯電話などの携帯端末装置の利用が広く普及しつつある。しかし、携帯端末装置は、回線等の物理的な接続がなく可搬性を有するため、携帯可能であるという利点があるが、紛失したり或いは盗難されたりしやすいという欠点もある。携帯端末装置が紛失したり或いは盗難されたりした場合、第三者に携帯端末装置内の個人情報を見られてしまったり、電子マネーを使用されてしまうという可能性があった。
【０００３】
この課題を解決するため、従来紛失や盗難により手元を離れた携帯端末装置の一部（あるいは全て）の機能使用をできないようにする機能（以後、ダイヤルロック機能と称する）を備えたものがある。この種の機能を有する携帯端末装置として、例えば、特開平９−６４９６７号公報（特許文献１）に開示された携帯電話のダイヤルロックシステムがある。従来の携帯電話のダイヤルロック機能を備えたシステムの構成例を図６に示す。このダイヤルロックシステムでは、ロック解除装置２００に内蔵されたロック解除コード送信部２２０よりロック解除コードをのせた電波を送信し、これを携帯電話１００のロック解除コード受信部１２０で受け、あらかじめ制御部１１０に記憶させてあるコードと照合する。携帯電話１００は、照合した結果、一致した場合はダイヤルロックを一定時間解除し、一方、一致するロック解除コードを一定時間受信しない場合（ロック解除装置が離れた場合）は再度ダイヤルロックをかけるものである。
【特許文献１】特開平９−６４９６７号公報
【発明の開示】
【発明が解決しようとする課題】
【０００４】
しかしながら、上述のダイヤルロックシステムにおいては、ロック解除装置２００のロック解除コード送信部２２０が携帯電話１００に対して周期的にロック解除用信号を電波送信している。このため、携帯電話１００は、その電波信号を受信する度にロック解除コードの検出、照合を行っているため、消費電力が増大してしまう。
【０００５】
本発明は、上記事情に鑑みてなされたものであって、ロック解除用信号を受信する回数を効率的に減らして、ロック解除処理に伴う電力消費を抑えることができる携帯端末装置、および携帯端末装置の制御方法を提供することを目的とする。
【課題を解決するための手段】
【０００６】
本発明の携帯端末装置は、ロック解除装置から所定のコードを無線通信により受信する無線部と、前記無線部により受信した所定のコードに基づいて、当該携帯端末装置が有する各種機能の実行を許可または禁止もしくは制限する機能制限制御部と、を備える携帯端末装置であって、当該携帯端末装置の所定の処理を検出する検出部を備え、前記無線部が、前記検出部により当該携帯端末装置の所定の処理を検出した後、前記ロック解除装置から所定のコードを無線通信により受信する、ものである。
【０００７】
この構成により、使用者が携帯端末装置を使用しようとして、携帯端末装置に所定の処理を実行させたときに認証を行い、認証ができたときのみ、携帯端末装置のロックが解除される。これにより、一定時間ごとに認証を行う必要がないので、ロック解除用信号を受信する回数を効率的に減らして、ロック解除処理に伴う電力消費を抑えることができる。
【０００８】
また、本発明の携帯端末装置は、ロック解除装置から所定のコードを無線通信により受信するための受信処理を、周期的に行う無線部と、前記無線部による受信処理によって受信した所定のコードに基づいて、当該携帯端末装置が有する各種機能の実行を許可または禁止もしくは制限する機能制限制御部と、を備える携帯端末装置であって、当該携帯端末装置の所定の処理を検出する検出部を備え、前記無線部が、前記機能制限制御部が当該携帯端末装置の有する各種機能の実行を禁止もしくは制限した時点からの時間に応じて長くなる周期で受信処理を行い、かつ前記検出部により当該携帯端末装置の所定の処理を検出した時点で前記受信処理の周期を短くする、ものを含む。
【０００９】
本発明の携帯端末装置の制御方法は、所定のコードを無線通信により受信するための受信処理を周期的に行い、受信した所定のコードに基づいて、携帯端末装置の各種機能の実行を許可または禁止もしくは制限する方法であって、当該携帯端末装置の所定の処理を検出するステップと、当該携帯端末装置の有する各種機能の実行を禁止もしくは制限した時点からの時間に応じて受信処理の周期を長くし、かつ、前記検出部により当該携帯端末装置の所定の処理を検出した時点で前記受信処理の周期を短くするステップと、を備える携帯端末装置の各種機能の実行を許可または禁止もしくは制限する方法である。
【００１０】
この構成によれば、携帯端末装置の機能の実行が禁止または制限される期間が続き今後もその期間が続く可能性が高いと推定されるときに、ロック解除装置からの信号を受信する受信処理を減らすことにより、その受信処理によって消費される電力を軽減することができる。
【００１１】
また、本発明の携帯端末装置は、ロック解除装置から所定のコードを無線通信により受信するための受信処理を、周期的に行う無線部と、前記無線部による受信処理によって受信した所定のコードに基づいて、当該携帯端末装置が有する各種機能の実行を許可または禁止もしくは制限する機能制限制御部と、を備える携帯端末装置であって、当該携帯端末装置の所定の処理を検出する検出部を備え、前記無線部が、前記機能制限制御部が当該携帯端末装置の有する各種機能の実行を禁止もしくは制限した時点でその時点以後の受信処理を中断し、前記検出部により当該携帯端末装置の所定の処理を検出した時点で前記受信処理を再開する、ものを含む。
【００１２】
本発明の携帯端末装置の制御方法は、所定のコードを無線通信により受信するための受信処理を周期的に行い、受信した所定のコードに基づいて、携帯端末装置の各種機能の実行を許可または禁止もしくは制限する方法であって、当該携帯端末装置の所定の処理を検出するステップと、当該携帯端末装置の有する各種機能の実行を禁止もしくは制限した時点でその時点以後の受信処理を中断し、かつ、前記検出部により当該携帯端末装置の所定の処理を検出した時点で前記受信処理を再開するステップと、を備える携帯端末装置の各種機能の実行を許可または禁止もしくは制限する方法である。
【００１３】
この構成によれば、携帯端末装置の機能の実行が禁止または制限される期間が続き今後もその期間が続く可能性が高いと推定されるときに、ロック解除装置からの信号を受信する受信処理を全く行わないため、その受信処理によって消費される電力を低減するという効果が顕著になる。
【００１４】
また、本発明の携帯端末装置は、前記検出部が、当該携帯端末装置への入力操作または開閉操作を検出するものを含む。
【００１５】
この構成により、携帯端末装置への入力操作または開閉操作を行ったとき、自動的に認証を行い、認証ができたときのみ、ロックが解除される。ロック解除用信号を受信する回数を効率的に減らして、ロック解除処理に伴う電力消費を抑えることができる。
【００１６】
また、本発明の携帯端末装置は、ＲＦＩＤリーダと無線通信を行う非接触ＩＣ回路を備え、前記検出部が、前記ＲＦＩＤリーダとの無線通信により、前記非接触ＩＣ回路に発生する電圧を検出し、前記機能制限制御部が、前記非接触ＩＣ回路による処理の実行を許可あるいは禁止もしくは制限するものを含む。
【００１７】
また、本発明の携帯端末装置は、前記非接触ＩＣ回路が、前記機能制限制御部が許可した後、前記ＲＦＩＤリーダとの無線通信を再開するものを含む。
【００１８】
この構成により、非接触ＩＣ回路を内蔵する携帯端末の非接触ＩＣ回路に対してリード／ライト操作を行おうとしたとき、自動的に認証を行い、認証ができたときのみ、ロックが解除される。これによって、ユーザの手を煩わせることなく、ロック解除動作が完了するので、安全にＩＣ回路を利用することができ、ロック解除用信号を受信する回数を効率的に減らして、ロック解除処理に伴う電力消費を抑えることができる。
【００１９】
また、本発明の携帯端末装置は、前記検出部が、前記非接触ＩＣ回路に駆動用電力を供給するための無線電波を受信した、前記非接触ＩＣ回路に発生する電圧を検出し、前記機能制限制御部が、前記非接触ＩＣ回路による、前記ＲＦＩＤリーダに応答するための無線電波の送信処理の実行を、許可あるいは禁止もしくは制限し、前記非接触ＩＣ回路が、前記機能制限制御部が許可した後、前記ＲＦＩＤリーダに応答するための無線電波を前記ＲＦＩＤリーダに送信する、ものを含む。
【００２０】
この構成により、非接触ＩＣ回路の応答がより速くなり、ユーザの利便性を高めることができる。
【００２１】
また、本発明の携帯端末装置は、少なくとも、通話部および電子メール送受信部のいずれか一方、または両方を備え、前記検出部が、少なくとも前記通話部による電話の着信処理または前記電子メール送受信部による電子メールの受信処理を検出する、ものを含む。
【００２２】
また、本発明の携帯端末装置は、前記無線部が、前記検出部により少なくとも前記通話部による電話の着信処理または前記電子メール送受信部による電子メールの受信処理の一方を検出した後、前記ロック解除装置から所定のコードを無線通信により受信する、ものを含む。
【００２３】
この構成により、携帯端末装置が電話着信処理あるいは電子メール着信処理を行ったとき、自動的に認証を行い、認証ができたときのみ、ロックが解除される。このため、ロック解除用信号を受信する回数を効率的に減らして、ロック解除処理に伴う電力消費を抑えることができる。
【００２４】
また、本発明の携帯端末装置は、各種情報を表示する表示部を備え、前記表示部が、前記機能制限制御部が当該携帯端末装置の有する各種機能の実行を許可した場合、電話の着信があったことまたは電子メールを受信したことを表す情報を表示する、ものを含む。
【００２５】
この構成により、電話着信に携帯端末装置利用者が応答できなかったときの着信の有無や、未読の電子メールの有無を、ロック解除装置との認証に成功したときのみ表示部に表示させる構成であるため、ロック解除装置を保持する携帯端末装置利用者は携帯端末装置に近づけばすぐにこれらの情報を確認することができ、一方、ロック解除装置を保持していない他者はこれらの情報を確認することができないため、携帯端末装置利用者による携帯端末装置の使い勝手の向上と、プライバシー保護や個人情報の漏洩の防止と、を同時に果たすことができる。
【００２６】
また、本発明の携帯端末装置は、前記無線部に駆動用電力を供給する電源回路を備え、前記電源回路が、前記検出部により検出した後、前記無線部に駆動用電力を供給し、前記無線部が、前記電源回路からの駆動用電力の供給を受けて、前記ロック解除装置から所定のコードを無線通信により受信する、ものを含む。
【００２７】
この構成により、ロック解除処理に伴う電力消費をさらに抑えることができる。
【００２８】
また、本発明の携帯端末装置は、当該携帯端末装置が有する各種機能の実行を禁止もしくは制限された状態で、前記検出部により所定の処理を検出し、前記ロック解除装置から所定のコードを無線通信により受信したときに、各種機能の実行を許可する、ものを含む。
【００２９】
この構成により、使用者が携帯端末装置を使用しようとしたときには、ロック解除用信号を受信し、認証ができればロック解除処理が行われるので、使用者に不都合を感じさせずにロック解除処理に伴う電力消費を抑えることができる。
【００３０】
また、本発明の携帯端末装置は、当該携帯端末装置が有する各種機能の実行を許可された状態で、前記検出部により所定の処理を検出し、前記ロック解除装置から所定のコードを無線通信により受信しないときに、各種機能の実行を禁止もしくは制限する、ものを含む。
【００３１】
この構成により、電力消費を抑えつつも、必要なときには確実に携帯電話をロックすることができる。
【発明の効果】
【００３２】
本発明の携帯端末装置、および携帯端末装置の制御方法によれば、使用者が携帯端末装置を使用しようとしたときには、ロック解除用信号を受信し、認証ができればロック解除処理が行われるので、使用者に不都合を感じさせずに、それ以外のときにはロック解除用信号を受信する回数を効率的に減らして、ロック解除処理に伴う電力消費を抑えることができる。
【発明を実施するための最良の形態】
【００３３】
以下、本発明の実施形態の携帯端末装置について、図面を用いて説明する。
（第１の実施形態）
本実施形態には、携帯端末装置の例として携帯電話を用い、その携帯電話利用者が携帯電話に内蔵された非接触ＩＣ回路にデータの読み取り処理を行わせるときの例について説明する。
【００３４】
図１は、本発明の第１の実施形態にかかる携帯電話の構成を示すブロック図である。
図１において、読取装置（ＲＦＩＤリーダ）２０は携帯電話１０に内蔵された非接触ＩＣ回路１２と無線で通信し、非接触ＩＣ回路１２のメモリ１２３に対してデータの読み出し、書き込み処理を実施する。ロック解除装置３０は、携帯電話１０の所有者が常に身につけているもので、あらかじめ指定されたロック解除コードをのせたものである。ロック解除装置３０の１例として、パッシブタグまたはセミパッシブタグなどのロック解除コードを内部に持つタグ型のキーがある。
【００３５】
携帯電話１０は、電圧検出回路１１と、非接触ＩＣ回路１２と、無線認証回路１３と、制御回路１４とを有する構成である。
【００３６】
非接触ＩＣ回路１２は、ＲＦ部１２１と、整流部１２２と、メモリ１２３と、制御部１２４とを有し、電子マネーなどの情報をやり取りする。
【００３７】
ＲＦ部１２１は、アンテナを介して、ＲＦＩＤ（Radio Frequency Identification：無線周波数識別）で使用される短距離通信用の電波を用いて、読取装置２０と無線通信を行う。読取装置２０との無線通信はＲＦＩＤに限定するものではなく、他の短距離通信（例えばＵＷＢ（Ultra Wide Band：超広帯域無線やBluetooth）であってもよい。
【００３８】
整流部１２２は、読取装置２０に携帯電話１０が近づくことにより携帯電話１０内部のＲＦ部１２１に入力される電波を直流電圧に変換し、この直流電圧を非接触ＩＣ回路１２の駆動に用いる。
【００３９】
メモリ１２３は、非接触ＩＣ回路１２と読取装置２０との間で送受信されるデータを記憶する。なお、メモリ１２３は、携帯電話１０にロックがかかっていないとき、読取装置２０によるデータの読み出し要求、書き込み要求処理に応答することができる。
【００４０】
制御部１２４は、読取装置２０との無線通信のための非接触ＩＣ回路１２の動作を制御する。制御部１２４は、具体的には、ＲＦ部１２１により受信した、読取装置２０からのデータ読み出し要求に応じて、メモリ１２３から該当データを抽出し、その抽出したデータをＲＦ部１２１に読取装置２０に送信するよう制御する。また、制御部１２４は、電圧検出回路１１から待機状態にする指示を受けると、読取装置２０からの充電用電波（非接触ＩＣ回路に駆動用電力を供給するための無線電波）の受信およびコマンド通知用電波（読取装置２０からのデータ読み出し要求を非接触ＩＣ回路に送信するための無線電波）の受信は行うが、非接触ＩＣ回路１２によるコマンドに対する応答（コマンドに応じてメモリ１２３から抽出したデータを読取装置２０に無線送信する処理）は行わない状態（待機状態）にし、電圧検出回路１１から待機状態を解除する指示を受けると非接触ＩＣ回路１２の待機状態を解除するよう制御する。
【００４１】
電圧検出回路１１は、読取装置２０に非接触ＩＣ回路１２を近づけていくことにより整流部１２２に発生する電圧を検出する。電圧検出回路１１は、その検出した電圧がある閾値を超えると、非接触ＩＣ回路１２および無線認証回路１３へ制御信号Ｓ１とＳ２を出力する。ここで制御信号Ｓ１は、非接触ＩＣ回路１２を待機状態にするための制御信号であり、制御信号Ｓ２は、ロック解除装置３０とロック解除のための無線通信を無線認証回路１３に行わせるための制御信号である。その後、電圧検出回路１１は、無線認証回路１３から携帯電話のロックが解除されたことを通知する制御信号Ｓ３を受信すると、非接触ＩＣ回路１２の待機状態を解除するためのロック解除信号Ｓ４を非接触ＩＣ回路１２に出力する。
【００４２】
制御信号Ｓ１、Ｓ４により、非接触ＩＣ回路１２を待機状態と待機状態が解除された状態とに切り替える理由を説明する。ダイヤルロック機能を実行する際、携帯電話の中には各部への電力供給を停止することにより、携帯電話の各種機能を利用できなくするものがある。しかし、非接触ＩＣ回路１２は、携帯電話が備える電源回路からの供給を受けること無く、自回路のＲＦ部１２１および整流部１２２により電力を発生させることができるため、電力供給を停止することにより携帯電話の各種機能を利用できなくするダイヤルロック機能では、非接触ＩＣ回路の処理を制限することができない。このため、電圧検出回路１１は、制御信号Ｓ１、Ｓ４により、非接触ＩＣ回路１２を待機状態、待機状態を解除した状態に切り替える必要がある。
【００４３】
無線認証回路１３は、ＲＦ部１３１と、メモリ１３２と、制御部１３３と、表示部１３４とを有し、ロック解除装置３０との無線通信により、ロック解除コードを取得し、取得したロック解除コードを認証する。
【００４４】
ＲＦ部１３１は、制御部１３３からの解除コード要求コマンド信号を無線で送信できるように変換してアンテナに出力し、アンテナより受信した無線信号を変換してロック解除コードを取得し、制御部１３３に出力する。
【００４５】
メモリ１３２は、携帯電話１０の特定の使用者であるかを認証するためのあらかじめ指定したロック解除コードを記憶する。
【００４６】
制御部１３３は、電圧検出回路１１からの制御信号Ｓ２を受けると、ロック解除コードを要求するために解除コード要求コマンドをロック解除装置３０へ送信する。制御部１３３は、ロック解除装置３０からロック解除コードを取得すると、メモリ１３２からあらかじめ指定したロック解除コードを取得し、ロック解除装置３０からのロック解除コードと比較することにより認証を行う。その後、制御信号Ｓ３を用いて認証結果を電圧検出回路１１へ通知するとともに表示部１３４に認証結果を表示させる。
【００４７】
ここで、無線認証回路１３とロック解除装置３０の認証方法について説明する。図７に、携帯電話と無線通信ユニットとの位置関係と、その位置関係毎の携帯電話と無線通信ユニットとの間における認証処理の概念図と、を示す。なお、図７では、ロック解除装置３０のことを携帯電話１０と無線通信を行う無線通信ユニットとして一般化して称している。図７（ａ）は携帯電話と無線通信ユニットとの位置関係を、図７（ｂ）は無線通信ユニットが携帯電話の非認証エリアから認証エリアへ推移するときの認証処理の概念図を、図７（ｃ）は無線通信ユニットが携帯電話の認証エリアにあるときの認証処理の概念図を、それぞれ示す。
【００４８】
図７（ａ）では、携帯電話１０が無線通信ユニット３０と無線通信可能な範囲を認証エリア（円で囲まれた領域）と称し、逆に無線通信ユニット３０と無線通信ができない（十分な信号強度で電波が到達しない）範囲を非認証エリア（円の外側の領域）と称している。携帯電話１０は、無線通信ユニット３０が非認証エリアに存在するときには無線通信ユニット３０と無線通信を行うことができないため、ロック解除コードを無線通信ユニット３０から取得することができず、したがって、携帯電話１０が備える非接触ＩＣ機能などの各種機能の利用を禁止もしくは制限する状態になる（以下、携帯電話における待ち受けモードと称する場合がある）。一方、携帯電話１０は、無線通信ユニット３０が認証エリアに存在するときには無線通信ユニット３と無線通信を行って認証を行い、認証に成功すれば携帯電話１０が備える非接触ＩＣ機能などの各種機能の利用を許可する状態になり（以下、携帯電話における認証モードと称する場合がある）、認証に失敗すれば携帯電話１０が備える非接触ＩＣ機能などの各種機能の利用を禁止もしくは制限する状態になる（待ち受けモード）。図８に、待ち受けモード−認証モード間での移行処理を表すフローチャートを示す。図８に示すように、携帯電話１０は、認証に成功すれば（ステップＳ８０２、Ｙｅｓ）携帯電話１０が備える非接触ＩＣ機能などの各種機能の利用を許可する認証モードになり（ステップＳ８０３）、認証に失敗すれば（ステップＳ８０２、Ｎｏ）携帯電話１０が備える非接触ＩＣ機能などの各種機能の利用を禁止もしくは制限する待ち受けモードになる。以下、図７（ｂ）、図７（ｃ）を参照して、携帯電話１０−無線通信ユニット３０間で送受されるデータについて詳細に説明する。
【００４９】
無線通信ユニット３０は、予め携帯電話１０との間でお互いの固有の識別情報（以下、識別ＩＤと称する）を関連付けるためのペアリングを行っており、自身の識別ＩＤを含むサーチ信号を一定の周期で送信している。一方携帯電話１０は、一定の周期で一定の期間、無線通信ユニット３０から送信されてくる識別ＩＤを受信すべく待ち受けている（図７（ｂ）の受信状態に該当）。無線通信ユニット３０が携帯電話１０の非認証エリアに位置するとき、携帯電話１０は、無線通信ユニット３０から送信される識別ＩＤを十分な信号強度で受信することはできず（図７（ｂ）のア、イの処理に該当）、待ち受けモードを維持する。その後、無線通信ユニット３０が携帯電話１０の非認証エリアから認証エリアに移動すると、携帯電話１０には図７（ｂ）ウ、エのように十分な信号強度のサーチ信号が到達するようになる。携帯電話１０は、図７（ｂ）のエのように、受信状態にあるときに無線通信ユニット３０からのサーチ信号に含まれる識別ＩＤを受信し、無線通信ユニット３０から受信した識別ＩＤと携帯電話１０が記憶する識別ＩＤとがペアリングされているものと一致すると判定し次第、携帯電話１０は自身の識別ＩＤを含む応答信号を無線通信ユニット３０に通知して（図７（ｂ）のオの処理に該当）、認証モードに移行することになる（図７（ｂ）のウの処理は、携帯電話１０が識別ＩＤを待ち受けている期間と無線通信ユニット３０が識別ＩＤを送信する周期とが一致せず、携帯電話１０が識別ＩＤを受信することはできなかった場合を示す）。
【００５０】
無線通信ユニット３０は、識別ＩＤを含む応答信号が携帯電話１０から通知されると、以後携帯電話１０との間で例えばチャレンジアンドレスポンス方式を用い、周期的に認証を行う。具体的には、無線通信ユニット３０は、識別ＩＤを含む応答信号が携帯電話１０から通知されると、チャレンジリクエストを携帯電話１０へ送信し（図７（ｃ）のカの処理に該当）、チャレンジリクエストを受信した携帯電話１０は、乱数を発生させて生成したチャレンジ信号を無線通信ユニット３０へ送信し（図７（ｃ）のキの処理に該当）、チャレンジ信号を受信した無線通信ユニット３０は、このチャレンジ信号に対して暗号化処理を行って生成したレスポンス信号を携帯電話１０へ送信し（図７（ｃ）のクの処理に該当）、レスポンス信号を受信した携帯電話１０は、復号化したレスポンス信号とチャレンジ信号とが一致すると携帯電話１０が備える各種機能の利用を許可する状態になり、復号化したレスポンス信号とチャレンジ信号とが不一致だと携帯電話１０が備える各種機能の利用を禁止もしくは制限する状態になる。復号化したレスポンス信号とチャレンジ信号とが一致する場合には、その後、携帯電話１０は、一定距離以内にペアリングされた携帯電話が存在する旨を、周期的に無線通信ユニット３０に通知することになる（図７（ｃ）のオの処理に該当）。なお、携帯電話１０−無線通信ユニット３０間でのチャレンジアンドレスポンス方式を用いた認証中に、認証が失敗したり、上述の信号の送受が途絶えると、携帯電話１０は待ち受けモードに移行し、無線通信ユニット３０は識別ＩＤを含むサーチ信号の送信を開始することになる。
【００５１】
表示部１３４は、ランプなどの表示手段であり、制御部１３３で行われる認証に成功したときと失敗したときとで異なる形式で表示し、例えば、ランプの点滅や点灯する色を変化させることによって認証結果を表示する。これによって、例えば、使用者は非接触ＩＣ回路を使用するとき、その回路を利用したサービスを利用することが可能か、どうかを判別することができる。なお、表示部１３４は、無線認証回路１３の一機能として記載したが、従来の携帯電話装置に備わる表示装置を利用して、表示するようにしても良い。その際には、無線認証回路１３の制御部１３３から出力した表示用の制御信号が、携帯電話装置に備わる制御回路１４に入力され、その制御回路１４の制御により携帯電話装置に備わる表示装置に表示される。
【００５２】
制御回路１４は、携帯電話１０全体の動作を制御する。
以上のように構成された携帯電話１０について、図２に示すフローチャート及び図３に示す各電圧波形図に基づいてその動作を説明する。
【００５３】
まず、携帯電話１０は、携帯電話利用者が携帯電話１０に対して何らからの操作、例えば、携帯電話のいずれかのボタンに対する押下操作や、折りたたみ式の携帯電話に対する開閉操作、を行なったことを検出する。図２に示すフローチャートでは、携帯電話利用者が携帯電話１０に内蔵された非接触ＩＣ回路にデータの読み取り処理を行わせる操作を行なったことを検出する場合について詳細に説明している。携帯電話利用者が、機能が制限されている携帯電話１０を、読取装置２０により読取操作を行うために、読取装置２０に携帯電話１０を近づけていくと、携帯電話１０内部の非接触ＩＣ回路１２に電波が入力される（ステップＳ２０１）。このとき、非接触ＩＣ回路１２の受信信号を図３（ａ）の「充電」の区間に示す。
【００５４】
ステップＳ２０１で入力された電波は整流部１２２に入力されると、直流電圧Ｖｉｎに変換される。整流部１２２より変換され、取得した直流電圧の推移例を図３（ｂ）に示す。読取装置２０に非接触ＩＣ回路１２が近づくほど、整流部１２２が変換する直流電圧Ｖｉｎの値は増大し、その結果、その直流電圧Ｖｉｎの値が閾値電圧Ｖｐを越えると、電圧検出回路１１は電圧Ｖｉｎが発生したことを検出する（ステップＳ２０２）。
【００５５】
電圧検出回路１１は電圧Ｖｉｎが発生したことを検出すると、制御部１２４に対して制御信号Ｓ１を出力する。その制御信号Ｓ１を受信した制御部１２４は、非接触ＩＣ回路１２を待機状態にさせ、読取装置２０への応答を待機する（ステップＳ２０３）。制御信号Ｓ１は図３（ｃ）に示すように、検出電圧Ｖｉｎは閾値電圧Ｖｐを超えると、出力される。なお、非接触ＩＣ回路１２は、待機状態期間中であっても、読取装置２０からのコマンド通知用電波の受信は行うことができ、このときの、非接触ＩＣ回路１２の受信信号を図３（ａ）の「コマンド受信」の区間に示す。非接触ＩＣ回路１２は、読取装置２０からのコマンド通知用電波の受信を、待機状態中に行っても良いし、後述する待機状態解除後に行っても良い。
【００５６】
なお、携帯電話１０は、携帯電話のいずれかのボタンに対する押下操作や折りたたみ式の携帯電話に対する開閉操作を行なったことを検出する場合、上述したステップＳ２０１からステップＳ２０３の処理の代わりに、所定のボタンからの入力信号や携帯電話の開閉を検出するセンサからの信号を検出することにより、携帯電話利用者が携帯電話１０に対して何らからの操作を行なったことを検出する。
【００５７】
また、電圧検出回路１１は、制御部１３３に対して、制御信号Ｓ２を出力して電圧を検出したことを通知すると、制御部１３３は、ロック解除装置３０とロック解除のための無線通信を行う（ステップＳ２０４、ステップＳ２０７）。制御信号Ｓ２は図３（ｄ）に示すように、制御信号Ｓ１と同じく検出電圧Ｖｉｎは閾値電圧Ｖｐを超えると、出力される。なお、電圧検出回路１１は、制御信号Ｓ１、Ｓ２の順に信号を出力するように記載したが、その順番が逆になってもよいし、並列動作になっても構わない。
【００５８】
無線認証回路１３の制御部１３３は、電圧検出回路１１からの制御信号Ｓ２を受け取ると、ロック解除装置３０に対してロック解除コードを要求するために、解除コード要求コマンドを送信する（ステップＳ２０４）。ここで、制御部１３３より出力されたロック解除コード要求コマンド信号はＲＦ部１３１より無線で伝送できるように変換され、アンテナを介して送信される。
【００５９】
ロック解除装置３０はアンテナを介して携帯電話１０からのロック解除コード要求コマンドを受信し（ステップＳ２０５）、ロック解除装置３０に保存されている携帯電話１０の所有者があらかじめ指定したロック解除コードを送信する（ステップＳ２０６）。なお、ステップＳ２０４からステップＳ２０６の処理によって、携帯電話１０がロック解除装置３０に対してロック解除コードを要求し、その要求に応じてロック解除装置３０がロック解除コードを送信する構成としたが、この処理は必ずしも必須なものではない。つまり、ロック解除装置３０がロック解除コードを定期的に送信しており、ロック解除装置３０と無線通信可能な範囲にある携帯電話１０がそのロック解除コードを受信する構成であっても構わない。
また、ロック解除装置３０が無線認証回路１３に対し、ロック解除コード以外の信号、例えば特定の識別ＩＤを送信することで認証を行い、認証が成功しているときに無線認証回路１３が携帯電話１０に対し、ロック解除コードを送るという構成であってもかまわない。
【００６０】
無線認証回路１３はアンテナを介してロック解除装置３０からのロック解除コードを受信する（ステップＳ２０７）。
【００６１】
無線認証回路１３の制御部１３３はメモリ１３２から携帯電話１０の特定の使用者であるかを認証するためのあらかじめ指定したロック解除コードを取得し、ステップＳ２０７で受信したロック解除コードと照合することより、認証を行う（ステップＳ２０８）。ロック解除コードが確認できない場合、すなわち受信したロック解除コードとメモリ１３２が保存しているあらかじめ指定したロック解除コードと一致しない場合、使用者は特定の使用者ではないとみなして、ロック解除コードを確認できなかったことを表示部１３４に表示させ（ステップＳ２０９）、ステップＳ２０４に戻り、再度解除コードを要求する。
【００６２】
一方、ステップＳ２０８において、ロック解除コードが確認できた場合、すなわち使用者は特定の使用者である場合、確認結果を表示部１３４に表示させる（ステップＳ２１０）。また、無線認証回路１３は、ロック解除コードが確認でき次第、電圧検出回路１１に対し、図３（ｄ）に示す制御信号Ｓ３を返し、電圧検出回路１１はその制御信号Ｓ３を受けると、制御部１２４に対して、図３（ｃ）に示す制御信号Ｓ４を出力し、制御部１２４はその制御信号Ｓ４を受け取って、非接触ＩＣ回路１２の待機状態を解除する（ステップＳ２１１）。
【００６３】
待機状態が解除された非接触ＩＣ回路１２は、直ちに動作を開始し、読取装置２０に対して応答し（ステップＳ２１２）、非接触ＩＣ回路１２からの応答コマンドを受け取った読取装置２０は非接触ＩＣ回路１２に対してリード／ライトを行い（ステップＳ２１３）、処理が終了する。ステップＳ２１４、Ｓ２１５の処理で、非接触ＩＣ回路１２が受信する受信信号を図３（ａ）の「リード／ライト」の区間に示す。
【００６４】
このような本発明の第１の実施形態にかかる携帯電話によれば、使用者がロックのかかっている携帯電話を操作しようとしたときに認証を行い、認証ができたときのみ、携帯電話のロックが解除される。これにより、ロック解除用信号を受信する回数を効率的に減らして、ロック解除処理に伴う電力消費を抑えることができる。
【００６５】
また、特に、非接触ＩＣ回路を内蔵する携帯電話の非接触ＩＣ回路に対してリード／ライト操作を行おうとしたとき、自動的に認証を行い、認証ができたときのみ、ロックが解除される。これによって、ユーザの手を煩わせることなく、ロック解除動作が完了するので、安全にＩＣ回路を利用することができ、ロック解除用信号を受信する回数を効率的に減らして、ロック解除処理に伴う電力消費を抑えることができる。
【００６６】
また、表示部が認証結果を表示することにより、使用者は非接触ＩＣ回路を使用するとき、その回路を利用したサービスを利用することが可能か、どうかを判別することができる。
また、以上の説明では機能がロックされた携帯電話が所定の処理を検出したとき、すなわち、使用者が操作しようとしたときに、携帯電話とロック解除装置が認証を行い、認証ができたときのみ、携帯電話のロックが解除されるとしたが、さらに、認証ができなかったときは、携帯電話のロックがロックされているいないにかかわらず、携帯電話の機能をロックするようにしても良い。この点、以下の実施の形態でも同様である。
【００６７】
（第２の実施形態）
次に、本発明の第２の実施形態にかかる携帯電話について説明する。
図４は、本発明の第２の実施形態にかかる携帯電話の構成を示すブロック図である。    第２の実施形態の携帯電話４０は、図１に示す第１の実施形態の構成において、電源回路４１を設けたものである。なお、図１に示した第１の実施形態の携帯電話１０と同一の構成要素には、同一の符号を付してその説明を省略する。
【００６８】
電源回路４１は、無線認証回路１３へ電源を供給するものであり、無線認証回路１３は定常的に電源を切っておき、電圧検出回路１１はある閾値を超えた電圧を検出したときに電源回路４１へ制御信号Ｓ５を出力し、電源回路４１は電圧検出回路１１からの制御信号を受け取ると無線認証回路１３へ電源を供給する。
【００６９】
以上のように構成された携帯電話４０について、図５に示すフローチャートに基づいてその動作を説明する。
【００７０】
この図５において、非接触ＩＣ回路１２を待機状態にさせるまでの手順、すなわちステップＳ２０１〜２０３の動作は、図２に示した第１の実施形態と同じであるので説明を省略する。なお、第１実施形態と同様、携帯電話１０は、携帯電話利用者が携帯電話１０に対して何らからの操作、例えば、携帯電話のいずれかのボタンに対する押下操作や、折りたたみ式の携帯電話に対する開閉操作、を行なったことを検出する構成であっても構わない。
【００７１】
ステップＳ２０２において、電圧検出回路１１は電圧Ｖｉｎが発生したことを検出すると、電源回路４１に対して、無線認証回路１３に電力の供給を開始するための制御信号Ｓ５を出力し、その通知を受け取った電源回路４１が無線認証回路１３へ電力を供給する（ステップＳ５０１）。なお、電圧検出回路１１は、制御信号Ｓ１、Ｓ５の順に信号を出力するように記載したが、その順番が逆になってもよいし、並列動作になっても構わない。
【００７２】
無線認証回路１３の制御部１３３は、ステップ５０１により、電力が供給されると、電圧検出回路１１からの制御信号Ｓ２を受け取り、ロック解除装置３０に対してロック解除コードを要求するために、解除コード要求コマンドを送信する（ステップＳ５０２）。
【００７３】
ステップＳ５０２以降の手順、すなわちステップＳ２０５〜２１３の動作は、図２に示した第１の実施形態と同じであるので説明を省略する。
【００７４】
非接触ＩＣ回路１２の制御部１２４は、ステップＳ２１３の処理後、非接触ＩＣ回路１２へのリーダ／ライト処理が終了すると、電圧検出回路１１にその旨を通知し、電圧検出回路１１は、無線認証回路１３に電力の供給を停止するための制御信号Ｓ６を電源回路４１に出力する。
【００７５】
このような本発明の第２の実施形態にかかる携帯電話によれば、電源回路を設けることにより、無線認証回路は定常的に電力が供給されていない状態になって、携帯電話を操作しようとしたときに電力が供給される。これによって、さらに電力消費を抑えることができる。
【００７６】
なお、以上の説明では、携帯電話の無線認証回路がロック解除装置と無線で通信することによりロック解除コードを取得し、認証する例について説明した。このロック解除装置以外に、無線認証回路が、これら携帯電話に付属する、携帯端末装置の使用者が常時携帯可能な無線通信ユニット（キー）と無線で通信する構成としても良い。この無線通信ユニットと携帯電話から構成される使用制限システムは、携帯電話に割り当てられた識別コードを相互に無線通信（ポーリング）している期間中、携帯端末装置は自装置の使用制限を解除し、相互の距離が離れて無線受信レベルが所定の値以下に低下した際に、携帯端末装置は自装置の使用制限の解除を停止して操作不能にするとともに、無線通信ユニットは警報信号を発するようにしたものである。これにより、携帯電話紛失時に携帯電話の機能を制限して第３者による悪用を防ぐだけでなく、携帯電話の紛失を防ぐことができる。
【００７７】
また、以上の説明では、携帯電話が内蔵した非接触ＩＣ回路に対する操作を行う例について説明したが、折りたたみ式の携帯電話に対する開閉操作や、携帯電話のいずれかのボタンに対する操作などについても同様に実施可能である。
【００７８】
（第３実施形態）
第１、２実施形態の携帯電話は、携帯電話１０が備える各種機能の利用を禁止もしくは制限する待ち受けモードである場合、ロック解除装置３０を所持する所有者が携帯電話に内蔵した非接触ＩＣ回路に対する操作を行おうとしたり、折りたたみ式の携帯電話に対する開閉操作をしたり、携帯電話のいずれかのボタンに対する操作を行ったりしたときに無線通信ユニット３０から送信されてくる識別ＩＤを受信する受信状態（図７（ｂ）を参照）になることで、すぐに認証を開始できるようにし、使用制限を解除する。しかしながら、一度離れたロック解除装置３０がすぐに近づく場合は自動的に認証動作が完了することが好ましく、定期的に受信状態になることが必要である。一方で、ロック解除装置３０が携帯電話１０にすぐに近づかない場合、この受信状態が長時間繰り返されてしまうことになるので、携帯電話１０が消費する消費電力が増大してしまうことになる。そこで、第３実施形態では、上述の受信状態に切り替わる回数を携帯電話利用者の利用状況に合わせて減らすことにより、消費電力を低減するとともにロック解除装置３０を持つ所有者が携帯電話１０を使用したいときに即座に認証動作を行い、ロックを解除する（各種機能の実行を許可する）ことができる携帯電話について説明する。図９に、本発明の第３の実施形態にかかる携帯電話の構成を示すブロック図を示す。
【００７９】
本実施形態では、携帯端末装置の例として携帯電話を用い、その携帯電話利用者が折り畳み式携帯電話を開閉したり、携帯電話に備わるキー操作部を押下したり、などの操作をするときの例について説明する。携帯電話１０は、無線認証回路１３と、制御回路１４と、操作部１５と、メモリ１６と、電源回路１７と、を有する構成である。
【００８０】
無線認証回路１３は、第１の実施形態で述べたロック解除装置３０との間での認証処理に加え、無線通信ユニット３０からの信号を受信可能な受信状態の周期を携帯電話１０が各種機能の利用を禁止もしくは制限する状態の継続時間に応じて長くする処理を実施する（図９の受信状態間の時間間隔ｔａ、ｔｂ、ｔｃ参照）。無線認証回路１３の処理の詳細については後述する。
【００８１】
制御回路１４は、携帯操作検出部１４１、認証状態検出部１４２、タイマー１４３、タイマー値比較部１４４、機能制御部１４５、とを備える。携帯操作検出部１４１は、携帯電話利用者による開閉ボタン１５１の押下やキー操作部１５２による入力操作を検出する（ここでは、折り畳み式携帯電話の開閉を開閉ボタン１５１の押下によってワンプッシュで行なうことを想定している。なお、開閉ボタン１５１の押下以外の方法で折り畳み式携帯電話の開閉を行なう場合、携帯操作検出部１４１は、折り畳み式携帯電話の開閉を検知するセンサからの入力信号に応じて、携帯電話利用者による操作を検出する構成であっても構わない）。認証状態検出部１４２は、無線認証回路１３から通知される認証結果（認証失敗あるいは認証成功）に応じて、無線認証回路１３−ロック解除装置３０間の認証状態が認証失敗の状態にあるのか認証成功の状態にあるのかを検出する。タイマー１４３は、認証状態検出部１４２が認証失敗の状態にあると検出した時点から計時を開始する。タイマー値比較部１４４は、タイマー設定用メモリ１６に記憶された所定のタイマー値と、タイマー１４３により計時中のタイマー値と、を比較し、タイマー１４３により計時中のタイマー値が所定のタイマー値を上回ったときに、その旨を知らせる信号を機能制御部１４５に出力する（なお、タイマー設定用メモリ１６に記憶されるタイマー値は複数設定されていてもよく、このとき、タイマー値比較部１４４は、タイマー１４３により計時中のタイマー値が複数のタイマー値のいずれかを上回ったそれぞれのときに、その旨を知らせる信号を出力するようにする）。
【００８２】
機能制御部１４５は、認証状態検出部１４２が認証失敗の状態にあると検出しているときに、携帯操作検出部１４１が携帯電話１０への操作を検出すると電源回路１７から無線認証回路１３に電力を供給して無線認証回路１３に認証を開始させ、認証状態検出部１４２が検出した認証状態に応じて携帯電話１０が備える各種機能の実行を禁止もしくは制限する状態（ロック状態）あるいは許可する状態（ロック解除状態）に切り替え、認証状態検出部１４２が認証失敗の状態にある期間中にタイマー値比較部１４４から信号が通知される度に無線認証回路１３に電力を供給する周期を長くする。無線認証回路１３は、電源回路１７から電力が供給されている期間中にロック解除装置３０からの信号を待ち受ける受信状態となるため、電源回路１７からの電力供給の周期が長くなることによって、受信状態の周期も長くなることになる。
【００８３】
ここで、無線認証回路１３による次の受信状態までの周期を延長する方法について説明する。図１０に、本発明の第３の実施形態の携帯電話による、次の受信状態までの周期を延長する際の概念図を示す。なお、図１０では、ロック解除装置３０のことを携帯電話１０と無線通信を行う無線通信ユニットとして一般化して称している。
【００８４】
図１０では、携帯電話１０−無線通信ユニット３０間でのチャレンジアンドレスポンス方式を用いた認証中に信号の送受が途絶え、携帯電話１０が認証モードから待ち受けモードに移行する場合を図示している。無線認証回路１３は、無線通信ユニット３０からの信号が途絶えた後、携帯電話１０の各種機能を禁止または制限し、タイマー１４３に計時を開始させる。その後、無線認証回路１３は認証モードから待ち受けモードへと移行し、ｔ２の期間受信状態を継続し（図１０における受信状態１に該当）、受信状態１期間中に無線通信ユニット３０から信号を受信できなければ、ｔａの時間を置いて再度ｔ２の期間受信状態を継続する（図１０における受信状態２に該当）。なお、無線認証回路１３による受信状態の期間の制御は、機能制御部１４５が電源回路１７から無線認証回路１３へ電力供給するタイミングを制御することにより行っている。なお、タイマー１４３にて計時を開始させるタイミングはこの限りではなく、例えば、受信状態１の期間中に無線通信ユニット３０からの信号が受信できなかったときに、計時を開始させても良い。
【００８５】
その後、機能制御部１４５がタイマー値比較部１４４から信号を通知される度に電源回路１３から無線認証回路１３へ電力供給するタイミングを長くするよう制御することにより、無線認証回路１３による次の受信状態までの間隔が長くなることになる（図１０では、受信状態２の後ｔｂ（ｔａ＜ｔｂ）の時間を置いてｔ２の期間受信状態３が、さらに受信状態３の後ｔｃ（ｔｂ＜ｔｃ）の時間を置いてｔ２の期間受信状態４が、それぞれ記されている）。次の受信状態までの時間間隔の具体例としては、タイマー設定用メモリ１６に３０分後、６０分後と設定しておき、機能制御部１４５は、認証状態検出部１４２が認証失敗の状態にあると検出してから３０分未満の期間には１０秒間隔で受信状態を繰り返し、認証状態検出部１４２が認証失敗の状態にあると検出してから３０分以上６０分未満の期間には３０秒間隔で受信状態を繰り返し、認証状態検出部１４２が認証失敗の状態にあると検出してから６０分以上の期間には１分間隔で受信状態を繰り返す、ことが考えられる。この構成によって、携帯電話１０−無線通信ユニット３０間での認証が成功する可能性の薄いときには無線認証回路１３による受信状態の切り替え回数を減らすことによって、無線認証回路１３が消費する電力を効果的に抑えることができる。なお、図１０では、ｔａ、ｔｂ、ｔｃ、・・・のように、１回の受信ごとに受信間隔を長くする例を示しているが、ｔａ、ｔａ、・・・、ｔｂ、ｔｂ、・・・、ｔｃ、ｔｃ、・・・のように、複数回の受信ごとに受信間隔を長くするようにしてもよい。
【００８６】
なお、受信状態の期間ｔ２は、無線通信ユニット３０が信号を送信する周期ｔ１よりも大きいことが好ましい。この構成により、非認証エリアに存在した無線通信ユニット３０が認証エリアに入ったときに、無線認証回路１３が無線通信ユニット３０から送信される信号（識別ＩＤ）を無線通信ユニット３０が認証エリアに入った後の最初の受信状態で確実に受信することができるため、無線認証回路１３は即座に無線通信ユニット３０が認証エリアに存在することを検知することができる（間隔ｔａ、ｔｂ、ｔｃが非常に大きくなることも考えられ、無線通信ユニット３０が認証エリアに入った後の最初の受信状態で無線通信ユニット３０からの信号を受信できないと、無線通信ユニット３０が認証エリアに存在することを検知することが大幅に遅れてしまう恐れがある）。
【００８７】
次に、無線認証回路１３が待ち受けモードから認証モードに移行する際の携帯電話各部の処理について説明する。図１１に、本発明の第３の実施形態の携帯電話における待ち受けモードから認証モードへ移行する際の概念図を示す。図１１（ａ）には、携帯電話が無線認証ユニットから信号を受信したときに待ち受けモードから認証モードへ移行する場合の概念図、図１１（ｂ）には、携帯電話が携帯電話への操作を検出したときに待ち受けモードから認証モードへ移行する場合の概念図、をそれぞれ示す。次の受信状態までの時間間隔が長くなった後、無線認証回路１３は、受信状態にあるときに無線通信ユニット３０からの信号を受信すると（図１１（ａ）では受信状態７において受信している）、無線認証回路１３は受信後に無線通信ユニット３０に対して応答信号を返すと待ち受けモードから認証モードに移行する。
【００８８】
また、機能制御部１４５が携帯電話１０への操作を検出したことを携帯操作検出部１４１から通知されると、タイマー値比較部１４４からの次の受信状態への移行を通知する信号を待たずに、無線認証回路１３は電力を供給されて即座に受信状態となる（図１１（ｂ）では受信状態１０に該当）。その後、無線認証回路１３は、受信状態中に無線通信ユニット３０からのサーチ信号を受信すると、無線通信ユニット３０に応答信号を返し、待ち受けモードから認証モードに移行する。また、携帯電話１０に操作がなされるときは、認証の緊急性が高いと判断されることから、図１２（ａ）の携帯電話が携帯電話への操作を検出したときに待ち受けモードから認証モードへ移行する場合の概念図に示すように、機能制御部１４５は、携帯電話１０への操作を検出したことを携帯操作検出部１４１から通知された時点から通常の受信状態の期間（ｔ２）よりも長い期間（ｔ３）、受信状態を継続するようにして、無線認証ユニットからの信号を受信し易い環境にしても良い。また、図１２（ｂ）に示すように、携帯操作検出部１４１による携帯電話１０への操作検出後、受信状態において無線通信ユニット３０からのサーチ信号が受信できなかった場合に一定時間経過後に再び受信状態に移行しても良い。このとき、図１２（ｃ）に示すように、次の受信状態までの時間間隔は携帯電話１０への操作検出前からの続きでも、タイマー１４３をリセットして次の受信状態までの時間間隔をｔａに戻すようにしてもよく、この場合、次の受信状態までの時間間隔を戻した後に、無線通信ユニット３０からの信号を受信できない状態が続くと、次の受信状態までの間隔が再度長くすることになる。
これにより、無線認証ユニットをもたない第三者が携帯操作を行っても無線認証回路１３はサーチ信号を受信できないので、第三者に携帯電話を使用されずにすむとともに、その後は元の待ち受けモードに戻るので、無線認証回路１３が消費する電力の低減を継続することができる。
【００８９】
ところで、タイマー１４３が計時するタイマー値に応じて段階的に無線認証回路１３による次の受信状態までの期間を長くする構成について上述したが、タイマー１４３によって計時するタイマー値が所定の値を超えると無線認証回路１３を受信状態に切り替えないようにすることも考えられる。この場合、携帯電話１０への操作を検出したときに無線認証回路１３を受信状態に切り替える構成によって、無線通信ユニットとの認証を行なう必要性の高い携帯電話が操作されるときのみ無線認証回路１３を受信状態にすればよいため、無線認証回路１３が消費する電力を最小限に抑えつつ、無線通信ユニットを保持していない者による携帯電話の不正利用を防止することができる。
また、タイマー１４３のかわりにカウンタを用いて、サーチ信号を受信できなかった受信状態が連続して所定の回数あった場合に次の受信状態までの時間間隔を長くする構成であってもかまわない。
【００９０】
次に、本発明の第３の実施形態にかかる携帯電話の処理を、図１３に示す本発明の第３の実施形態にかかる携帯電話のフローチャートを参照して説明する。なお、図１３のフローチャートでは、認証を失敗してから、再び認証を成功するまでの動作において、タイマー１４３によって計時するタイマー値が所定の値を超えたときに、無線認証回路１３が次の受信状態に切り替わるまでの時間間隔を変更する場合に携帯電話が行なう処理について説明する。
【００９１】
携帯電話１０は、無線認証ユニット３０との認証に失敗すると、まず各種機能の実行を禁止もしくは制限する状態（ロック状態）に設定する（Ｓ１３０１）。ステップＳ１３０１の処理は、各種機能の実行を許可する状態（ロック解除状態）に設定するものであっても構わないが、携帯電話の不正利用を防止するという観点からここではロック状態から始めることとする。次いで、携帯電話１０はタイマーの計時を開始し（Ｓ１３０２）、無線認証回路１３に電力を一定期間（図１０における受信状態ｔ２の期間）供給して認証を行う（Ｓ１３０３）
【００９２】
無線認証回路１３に電力を供給した一定期間において、携帯電話１０は、認証に失敗すると（Ｓ１３０４、Ｎｏ）、各種機能の実行を禁止もしくは制限する状態（ロック状態）を維持する。その後、携帯電話１０への入力操作があれば（Ｓ１３０５、Ｙｅｓ）、携帯電話１０への入力操作があった時点でＳ１３０３の処理を行なって認証を行う（Ｓ１３０４）。携帯電話１０は、携帯電話１０への入力操作がなければ（Ｓ１３０５、Ｎｏ）、前回の無線認証回路１３への電力供給から時間Ｔ１（図１０におけるｔａが示す期間）経過したか否かを判定し（Ｓ１３０６）、経過していなければ再度Ｓ１３０５の処理を行なう。
【００９３】
携帯電話１０は、ステップＳ１３０６の処理において時間Ｔ１経過していると判定すると（ステップＳ１３０６、Ｙｅｓ）、タイマー１４３が計時を開始してから現時点までのタイマー値が所定値Ｘ１（タイマー設定用メモリ１６に記憶されているタイマー値のうち最小の値のもの）を越えているかを判定し（Ｓ１３０７）、所定値Ｘ１を越えていなければ（Ｓ１３０７、Ｎｏ）、ステップＳ１３０３からステップＳ１３０６までの処理を繰り返す。一方、所定値Ｘ１を越えていれば（Ｓ１３０７、Ｙｅｓ）、時間Ｔ１をＴ２（図１０におけるｔｂが示す期間。なお、ｔｂ＞ｔａである）に更新し（Ｓ１３０８）、さらに所定値Ｘ１をＸ２（タイマー設定用メモリ１６に記憶されているＸ１を除くタイマー値のうち最小の値のもの）に変更し、ステップＳ１３０３からステップＳ１３０９までの処理を繰り返す。なお、再度ステップＳ１３０８の処理を実行するときは、時間Ｔi-1よりも大きい値の時間Ｔiに更新し、再度ステップＳ１３０９の処理を実行するときは、所定値Ｘi-1よりも大きい値のＸiに変更する。なお、時間Ｔiを無限大に設定することにより、実質的に無線認証回路１３を受信状態に切り替えないようにすることもできる（この場合には、携帯電話１０への操作があるまで、ステップＳ１３０５とＳ１３０６の処理が繰り返されることになる）。
【００９４】
ステップＳ１３０４の処理において、携帯電話１０は、認証に成功すると（Ｓ１３０４、Ｙｅｓ）、各種機能の実行を許可する状態（ロック解除状態）に設定する（Ｓ１３１０）。さらに、タイマー１４３のタイマー値を０に戻し（Ｓ１３１１）、さらに所定値ＸiをＸ１に変更し（Ｓ１３１２）、時間ＴiをＴ１に更新して（Ｓ１３１３）、待ち受けモードから認証モードへ移行する際の処理を終了し、その後図８のフローを繰り返すことになる。
【００９５】
本発明の第３の実施形態の携帯電話によれば、無線認証回路が受信状態に切り替わる回数を携帯電話利用者の利用状況に合わせて減らすことにより、ロック解除装置を保持していない者による携帯電話の不正利用を防止しつつ、無線認証回路がロック解除装置との間での認証のために消費する電力消費を軽減することができる。
【００９６】
（第４の実施形態）
第１、２、３の実施形態の携帯電話では、携帯電話１０への携帯電話利用者の操作（例えば、携帯電話利用者による非接触ＩＣカードを利用するための操作、操作キーへの入力操作、折り畳み式携帯電話の開閉操作、など）を検出し、その検出をトリガーとして無線認証回路１３−ロック解除装置３０間での認証を開始させるものであった。第４の実施形態の携帯電話では、携帯電話１０による特定の処理を検出し、その検出をトリガーとして無線認証回路１３−ロック解除装置３０間での認証を開始させる携帯電話について説明する。図１４に、本発明の第４の実施形態にかかる携帯電話の構成を示すブロック図を示す。
【００９７】
本発明の第４の実施形態の携帯電話の構成は、第３の実施形態の携帯電話の構成に加え、携帯無線部１８と、制御回路１４に設けられた電話着信・メール受信検出部１４６と、スピーカ１９１、マイク１９２および表示部１９３から成る入出力部１９と、を設けたものである。
【００９８】
携帯無線部１８は、携帯電話用の基地局４０と無線通信を行い、音声通話やデータ通信を実現する。電話着信・メール受信検出部１４６は、他の電話機からの発信処理に対して携帯無線部１８が着信したこと、および他の端末から送信された電子メールを携帯無線部１８が受信したことを検出する。機能制御部１４５は、携帯無線部１８によって受信した通話用の音声データをスピーカ１９１に音出力させ、マイク１９２によって収音した音信号を携帯無線部１８に通話用の音声データとして送信させる。また、機能制御部１４５は、携帯無線部１８によって受信したメールを表示部１９３に表示させたり、電話着信に携帯電話利用者が応答できなかったときに電話着信があったこと（着信の有無）を表示部１９３に表示させたり、表示部１９３に表示していない（携帯電話利用者がまだ閲覧していない）電子メールがあることを表示部１９３に表示させたり、電話の発信元や電子メールの送信元の情報（電話番号、電子メールアドレス、または電話帳機能を利用してその電話番号や電子メールアドレスから特定される個人情報）を表示部１９３に表示させる。
【００９９】
機能制御部１４５による処理は、携帯電話１０による電話着信や電子メールの受信をトリガーとして無線認証回路１３−ロック解除装置３０間での認証を開始させる処理を新たに追加する以外、第３の実施形態における機能制御部１４５による処理と同じである。すなわち、機能制御部１４５は、電話着信・メール受信検出部１４６が携帯無線部１８による電話着信や電子メール受信を検出すると、電源回路１７から無線認証回路１３に電力を供給して無線認証回路１３に認証を開始させ、認証状態検出部１４２が検出した認証状態に応じて携帯電話１０が備える各種機能の実行を禁止もしくは制限する状態（ロック状態）あるいは許可する状態（ロック解除状態）に切り替え、認証状態検出部１４２が認証失敗の状態にあることを繰り返し検出している期間中にタイマー値比較部１４４から信号が通知される度に無線認証回路１３に電力を供給する周期を長くする。
【０１００】
ロック解除装置３０との認証状態に応じてロック状態あるいはロック解除状態に切り替える携帯電話は、ロック状態（待ち受け状態）にあっても、携帯電話の主要機能である電話着信機能と電子メール受信機能は実行可能な状態にしておくことが好ましい場合がある。近年の携帯電話は応答できなかった電話着信があることを表示部に表示させたり、未読の受信メールがあることを表示部に表示させたり、または電話の発信元や電子メールの送信元の情報を表示部に表示する表示機能を有しているが、ロック状態にある携帯電話によって電話着信または電子メール受信したときにこの表示機能までも実行可能な状態にしておけば、携帯電話利用者はすぐにその表示を確認することができる。反面、他者にもその表示を見られてしまう危険性があるため、ロック状態にある携帯電話によって電話着信または電子メール受信したときに上述の表示機能までも実行可能な状態にしておくことは、携帯電話利用者のプライバシーや個人情報の漏洩の観点から好ましくない。このため、携帯電話利用者は表示内容を直ぐに確認することができ、かつ他者にはその表示内容を見ることができないようにする制御が必要になる。本発明の第４の実施形態の携帯電話は、この点について詳細に説明する。図１５に、本発明の第４の実施形態の携帯電話が電話着信を検出したときに待ち受けモードから認証モードへ移行する場合の概念図を、図１６に、本発明の第４の実施形態の携帯電話における電話着信時のフローチャートを、それぞれ示す。なお、ここでは、携帯電話１０への電話着信を検出する実施形態について述べているが、電子メールの受信を検出する場合でも同様である。
【０１０１】
機能制御部１４５は、携帯電話１０への電話着信を検出したことを携帯操作検出部１４１から通知されると（Ｓ１６０１）、電話着信の有無を表す電話着信フラグをＯＮにし（Ｓ１６０２）、待ち受けモードにある無線認証回路１３は、電力を供給されて受信状態となる（図１５では受信状態１４に該当。Ｓ１６０３）。その後、無線認証回路１３は、受信状態にあるときに無線通信ユニット３０からのサーチ信号を受信し（図１５では受信状態１５において受信している）、応答信号を返すと、待ち受けモードから認証モードに移行する。
【０１０２】
無線認証回路１３は、認証モードに移行後認証に成功すると（Ｓ１６０４、Ｙｅｓ）、認証状態検出部１４２から通知を受けた機能制御部１４５は、各種機能の実行を許可する状態（ロック解除状態）に設定し（Ｓ１６０５）、携帯電話１０に電話着信が有ったことを表示部１９３に表示させ（Ｓ１６０６）、電話着信フラグをＯＦＦにしてステップＳ１３１１の処理へ移行する（Ｓ１６０７）。一方、無線認証回路１３は、無線通信ユニット３０からの信号を受信できず、認証に失敗すると（Ｓ１６０４、Ｎｏ）、携帯電話１０に電話着信が有ったことを表示部１９３に表示せず（Ｓ１６０８）、ステップＳ１３０５の処理へ移行する。
【０１０３】
携帯電話１０は、電話着信が有ったことを表示部１９３に表示せず、ステップＳ１３０５の処理へ移行した場合、再度認証モードに移行して認証に成功するまでは、電話着信があったことを表示しない。図１７に、本発明の第４の実施形態の携帯電話における電話着信後のフローチャートを示す。携帯電話１０は、ステップＳ１３０５の処理へ移行した後、ステップＳ１３０４の処理において、認証に成功すると（Ｓ１３０４、Ｙｅｓ）、各種機能の実行を許可する状態（ロック解除状態）に設定する（Ｓ１３１０）。さらに、携帯電話１０は、電話着信フラグの有無を判定し、電話着信フラグがあれば（Ｓ１７０１、Ｙｅｓ）、携帯電話１０に電話着信が有ったことを表示部１９３に表示させ（Ｓ１７０２）、電話着信フラグをＯＦＦにしてステップＳ１３１１の処理へ移行する（Ｓ１７０３）。一方、電話着信フラグがなければ（Ｓ１７０１、Ｎｏ）、ステップＳ１３１１の処理へ移行する。
【０１０４】
本発明の第４の実施形態の携帯電話によれば、電話着信に携帯電話利用者が応答できなかったときの着信の有無や、未読の電子メールの有無や、着信を残した電話の発信元や電子メールの送信元の情報を、ロック解除装置３０との認証に成功したときのみ表示部に表示させる構成であるため、ロック解除装置３０を保持する携帯電話利用者が携帯電話に近づいたとき、これらの情報を確認することができ、一方、ロック解除装置３０を保持していない他者は携帯電話に近づいてもこれらの情報を確認することができないため、携帯電話利用者による携帯電話の使い勝手の向上と、プライバシー保護や個人情報の漏洩の防止と、を同時に果たすことができる。
【０１０５】
さらに、以上の第１から第４の実施形態の説明では、携帯電話を用いて説明したが、ほかの携帯端末装置についても同様に実施可能である。
【０１０６】
本発明を詳細にまた特定の実施態様を参照して説明したが、本発明の精神と範囲を逸脱することなく様々な変更や修正を加えることができることは当業者にとって明らかである。
【０１０７】
本出願は、2005年7月4日出願の日本特許出願（特願2005−195170）、2005年12月28日出願の日本特許出願（特願2005−379639）、に基づくものであり、その内容はここに参照として取り込まれる。
【産業上の利用可能性】
【０１０８】
以上のように、本発明にかかる携帯端末装置、および携帯端末装置の制御方法は、ロック解除用信号を受信する回数を効率的に減らして、ロック解除処理に伴う電力消費を抑えることができるという効果を有し、盗難や置忘れ時に操作を制限するための使用制限機能を有する携帯端末装置等として有用である。
【図面の簡単な説明】
【０１０９】
【図１】本発明の第１の実施形態にかかる携帯電話の構成を示すブロック図
【図２】本発明の第１の実施形態にかかる携帯電話の動作を説明するためのフローチャート図
【図３】各電圧を示す電圧波形図
【図４】本発明の第２の実施形態にかかる携帯電話の構成を示すブロック図
【図５】本発明の第２の実施形態にかかる携帯電話の動作を説明するためのフローチャート図
【図６】従来の携帯電話の構成を示すブロック図
【図７】携帯電話と無線通信ユニットとの位置関係と、その位置関係毎の携帯電話と無線通信ユニットとの間における認証処理の概念図。図７（ａ）は携帯電話と無線通信ユニットとの位置関係、図７（ｂ）は無線通信ユニットが携帯電話の非認証エリアから認証エリアへ推移するときの認証処理の概念図、図７（ｃ）は無線通信ユニットが携帯電話の認証エリアにあるときの認証処理の概念図
【図８】待ち受けモード−認証モード間での移行処理を表すフローチャート
【図９】本発明の第３の実施形態にかかる携帯電話の構成を示すブロック図
【図１０】本発明の第３の実施形態の携帯電話による、次の受信状態までの周期を延長する際の概念図
【図１１】本発明の第３の実施形態の携帯電話における待ち受けモードから認証モードへ移行する際の概念図。図１１（ａ）は、携帯電話が無線認証ユニットから信号を受信したときに待ち受けモードから認証モードへ移行する場合の概念図、図１１（ｂ）には、携帯電話が携帯電話への操作を検出したときに待ち受けモードから認証モードへ移行する場合の概念図
【図１２】本発明の第３の実施形態の携帯電話が携帯電話への操作を検出したときに待ち受けモードから認証モードへ移行する場合の概念図。図１２（ａ）は、携帯電話への操作後の受信状態が通常よりも長い場合の概念図、図１２（ｂ）は、携帯電話への操作後にサーチ信号を受信できなかった場合の概念図、図１２（ｃ）は、携帯電話の
【図１３】本発明の第３の実施形態にかかる携帯電話のフローチャート
【図１４】本発明の第４の実施形態にかかる携帯電話の構成を示すブロック図
【図１５】本発明の第４の実施形態の携帯電話が電話着信を検出したときに待ち受けモードから認証モードへ移行する場合の概念図
【図１６】本発明の第４の実施形態の携帯電話における電話着信時のフローチャート
【図１７】本発明の第４の実施形態の携帯電話における電話着信後のフローチャート
【符号の説明】
【０１１０】
１０、４０  携帯電話
１１  電圧検出回路
１２  非接触ＩＣ回路
１３  無線認証回路
１４  制御回路
１４１  携帯操作検出部
１４２  認証状態検出部
１４３  タイマー
１４４  タイマー値比較部
１４５  機能制御部
１４６  電話着信・メール受信検出部
１５  操作部
１５１  開閉ボタン
１５２  キー操作部
１６  タイマ設定用メモリ
１７  電源回路
１８  携帯無線部
１９  入出力部
１９１  スピーカ
１９２  マイク
１９３  表示部
２０  読取装置
３０  ロック解除装置
４１  電源回路
１２１、１３１  ＲＦ部
１２２  整流部
１２３、１３２  メモリ
１２４、１３３  制御部
１３４  表示部
【手続補正３】
【補正対象書類名】図面
【補正対象項目名】全図
【補正方法】変更
【補正の内容】
【図１】
2007004368.tif 000020
【図２】
2007004368.tif 000021
【図３】
2007004368.tif 000022
【図４】
2007004368.tif 000023
【図５】
2007004368.tif 000024
【図６】
2007004368.tif 000025
【図７】
2007004368.tif 000026
【図８】
2007004368.tif 000027
【図９】
2007004368.tif 000028
【図１０】
2007004368.tif 000029
【図１１】
2007004368.tif 000030
【図１２】
2007004368.tif 000031
【図１３】
2007004368.tif 000032
【図１４】
2007004368.tif 000033
【図１５】
2007004368.tif 000034
【図１６】
2007004368.tif 000035
【図１７】
2007004368.tif 000036
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
ロック解除装置から所定のコードを無線通信により周期的に受信する無線部と、
前記無線部により受信した所定のコードに基づいて、当該携帯端末装置が有する各種機能の実行を許可または禁止もしくは制限する機能制限制御部と、
当該携帯端末装置の所定の処理を検出する検出部と、を備え、
前記無線部は、前記検出部により当該携帯端末装置の所定の処理を検出した後、前記ロック解除装置から所定のコードを無線通信により受信する、
携帯端末装置。
【請求項２】
ロック解除装置から所定のコードを無線通信により周期的に受信する無線部と、
前記無線部により受信した所定のコードに基づいて、当該携帯端末装置が有する各種機能の実行を許可または禁止もしくは制限する機能制限制御部と、
ＲＦＩＤと無線通信を行う非接触ＩＣ回路と、を備え、
前記非接触ＩＣ回路は、前記ＲＦＩＤリーダからのコマンドを受信できる待機状態と、前記ＲＦＩＤリーダからのコマンドの受信、前記ＲＦＩＤリーダへの応答、及び当該非接触ＩＣに対するリード／ライトができる解除状態と、を有し、
前記機能制限制御部は、前記無線部により所定のコードを受信すると、前記待機状態にあった前記非接触ＩＣ回路を前記解除状態にする、
携帯端末装置。
【請求項３】
前記ＲＦＩＤリーダとの無線通信により、前記非接触ＩＣ回路に発生する電圧を検出する電圧検出部をさらに備え、
前記機能制限制御部は、前記電圧検出部の検出する電圧が所定値以上になると前記非接触ＩＣ回路を前記待機状態にし、前記無線部により所定のコードを受信すると前記非接触ＩＣ回路を前記解除状態にする、
請求項２記載の携帯端末装置。
【請求項４】
前記無線部は、前記機能制限制御部が当該携帯端末装置の有する各種機能の実行を禁止もしくは制限した時点からの時間に応じて長くなる周期で受信処理を行い、前記電圧検出部によって検出される電圧が所定値以上になった時点で前記受信処理の周期を短くする、
請求項３記載の携帯端末装置。
【請求項５】
前記無線部は、前記機能制限制御部が当該携帯端末装置の有する各種機能の実行を禁止もしくは制限した時点でその時点以後の受信処理を中断し、前記電圧検出部によって検出される電圧が所定値以上になった時点で前記受信処理を再開する、
請求項３記載の携帯端末装置。
【請求項６】
ロック解除装置から所定のコードを無線通信により周期的に受信する無線部と、
前記無線部により受信した所定のコードに基づいて、当該携帯端末装置が有する各種機能の実行を許可または禁止もしくは制限する機能制限制御部と、
少なくとも、通話部および電子メール送受信部のいずれか一方、または両方と、
少なくとも前記通話部による電話の着信処理または前記電子メール送受信部による電子メールの受信処理を検出する検出部と、を備え、
前記無線部は、前記検出部により少なくとも前記通話部による電話の着信処理または前記電子メール送受信部による電子メールの受信処理の一方を検出した後、前記ロック解除装置から所定のコードを無線通信により受信する、
携帯端末装置。
【請求項７】
各種情報を表示する表示部を備え、
前記表示部は、前記機能制限制御部が当該携帯端末装置の有する各種機能の実行を許可した場合、電話の着信があったことまたは電子メールを受信したことを表す情報を表示する、
請求項６記載の携帯端末装置。
【請求項８】
ロック解除装置から所定のコードを無線通信により周期的に受信する無線部と、
前記無線部により受信した所定のコードに基づいて、当該携帯端末装置が有する各種機能の実行を許可または禁止もしくは制限する機能制限制御部と、
当該携帯端末装置の所定の処理を検出する検出部と、を備え、
前記無線部は、前記検出部により当該携帯端末装置の所定の処理を検出した後、前記検出部により所定の処理を検出する前に当該無線部が前記ロック解除装置からの所定のコードを受信するために継続していた受信状態の期間よりも長い期間、前記受信状態を継続する、
携帯端末装置。
【国際調査報告】
2007004368.tif 000037
2007004368.tif 000038
2007004368.tif 000039
2007004368.tif 000040